(57)【特許請求の範囲】
【請求項１】
物体側から順に、正屈折力の第１レンズ群と、負屈折力の第２レンズ群と、第３レンズ群以降と、を有し、
前記第１レンズ群は、物体側から順に、正レンズ１枚と負レンズ１枚との張り合わせレンズからなる結像光学系であって、
変倍する際、
隣り合う各レンズ群の間隔が変化し、
前記第３レンズ群以降の合成屈折力は常に正であり、
以下の条件式（１−１）、条件式（２−１）、条件式（３−１）、及び条件式（７）を満たすことを特徴とする結像光学系。
１．５０＜ｎｄn＜１．７０    …（１−１）
０．５４＜θｇＦn＜０．７２  …（２−１）
０．５１＜θｈｇn＜０．６８  …（３−１）
１．７０＜ｎｄp＜１．８５    …（７）
ここで、
ｎｄnは前記負レンズの屈折率、
θｇＦnは前記負レンズの部分分散比（ｎgn−ｎFn)／（ｎFn−ｎCn）、
θｈｇnは前記負レンズの部分分散比（ｎhn−ｎgn）／（ｎFn−ｎCn）、
ｎｄn、ｎCn、ｎFn、ｎgn、ｎhnは、各々前記負レンズのｄ線、Ｃ線、Ｆ線、ｇ線、ｈ
線に対する屈折率、
ｎｄpは前記第１レンズ群の前記正レンズの屈折率、
である。
【請求項２】
以下の条件式（１−１）、条件式（２−２）及び条件式（３−２）を満たすことを特徴とする請求項１に記載の結像光学系。
１．５０＜ｎｄn＜１．７０        …（１−１）
０．６４５＜θｇＦn＜０．６８    …（２−２）
０．６０５＜θｈｇn＜０．６４５  …（３−２）
【請求項３】
以下の条件式（４−１）を満たすことを特徴とする請求項１又は請求項２に記載の結像光学系。
０．０５＜Ｔ１ｇ／Ｆｌｔ＜０．１０  …（４−１）
ここで、
Ｔ１ｇは前記第１レンズ群の光軸上の厚さ、
Ｆｌｔは前記結像光学系全系の望遠端での焦点距離である。
【請求項４】
以下の条件式（４−２）を満たすことを特徴とする請求項３に記載の結像光学系。
０．０７＜Ｔ１ｇ／Ｆｌｔ＜０．０９  …（４−２）
【請求項５】
以下の条件式（１−１）及び条件式（６−１）を満たすことを特徴とする請求項１又は請求項２に記載の結像光学系。
１．５０＜ｎｄn＜１．７０   …（１−１）
１６＜νｄn＜２８           …（６−１）
ここで、
νｄnは前記負レンズのアッベ数、
である。
【請求項６】
以下の条件式（１−２）及び条件式（６−２）を満たすことを特徴とする請求項５に記載の結像光学系。
１．５７＜ｎｄn＜１．６７  …（１−２）
１９＜νｄn＜２６          …（６−２）
【請求項７】
前記第１レンズ群の前記正レンズと前記負レンズの境界面が非球面であることを特徴とする請求項１から請求項６のいずれか１項に記載の結像光学系。
【請求項８】
前記非球面の形状が、光軸から離れるほど近軸の曲率に比べ曲率が小さくなる形状であることを特徴とする請求項７に記載の結像光学系。
【請求項９】
条件式（８）を満たすことを特徴とする請求項１から請求項６のいずれか１項に記載の結像光学系。
５５＜νｄp＜７５  …（８）
ここで、
νｄpは前記第１レンズ群の前記正レンズのアッベ数、
である。
【請求項１０】
前記第１レンズ群の前記負レンズが樹脂からなることを特徴とする請求項１から請求項９のいずれか１項に記載の結像光学系。
【請求項１１】
前記樹脂はエネルギー硬化型樹脂であることを特徴とする請求項１０に記載の結像光学系。
【請求項１２】
前記樹脂は紫外線硬化型樹脂であることを特徴とする請求項１１に記載の結像光学系。
【請求項１３】
前記第２レンズ群は、物体側から順に、正レンズ１枚と負レンズ１枚からなる接合レンズを含むことを特徴とする請求項１から請求項１２のいずれか１項に記載の結像光学系。
【請求項１４】
前記第３レンズ群は、物体側から順に、正レンズ１枚と、正レンズ１枚と負レンズ１枚の接合レンズとからなることを特徴とする請求項１から請求項１３のいずれか１項に記載の結像光学系。
【請求項１５】
最終レンズ群のパワーが正であることを特徴とする請求項１から請求項１４のいずれか１項に記載の結像光学系。
【請求項１６】
前記最終レンズ群を光軸方向に動かすことによってフォーカシングすることを特徴とする請求項１５に記載の結像光学系。
【請求項１７】
前記最終レンズ群は正レンズ１枚からなることを特徴とする請求項１６に記載の結像光学系。
【請求項１８】
前記最終レンズ群は樹脂からなることを特徴とする請求項１５から請求項１７のいずれか一項に記載の結像光学系。
【請求項１９】
請求項１から請求項１８のいずれか一項に記載の結像光学系と、
電子撮像素子とを備えたことを特徴とする電子撮像装置。
【発明の詳細な説明】
【技術分野】
【０００１】
本発明は、結像光学系及びそれを有する電子撮像装置に関するものである。
【背景技術】
【０００２】
コンパクトカメラの薄型化がますます進み、結像光学系に対しても薄いカメラ筐体に収めるために薄型化が求められている。そのためには、沈胴時の薄型化と全長短縮が特に重要である。
【０００３】
コンパクトカメラでは、使用後には結像光学系を沈胴させて筐体内に収納するため、カメラ筐体が薄くなれば、それに伴い沈胴厚も薄くする必要がある。沈胴させるためには、結像光学系の鏡枠は複数の段に分割して伸び縮みできるようにする。
【０００４】
このとき、沈胴厚が薄くなると、分割した各鏡枠の長さも短くすることになるので、沈胴させるときの段数が増えてしまう。すると、結像光学系を長く伸ばしたときに鏡枠全体が重力で変形しやすくなるので、結像光学系の偏心が起こりやすくなる。そのため、鏡枠の分割する間隔は短くしつつ、分割数も少なくするために、結像光学系の全長を短縮する必要がある。
【０００５】
結像光学系を薄く構成するには、例えば、特開平１１−２５８５０７号公報（特許文献１）の実施例４、６、７に記載されたように、第１レンズ群を単レンズにて構成することが好ましい。
【先行技術文献】
【特許文献】
【０００６】
【特許文献１】特開平１１−２５８５０７号公報
【特許文献２】特開２００７−７２１１７号公報
【発明の概要】
【発明が解決しようとする課題】
【０００７】
しかしながら、特に結像光学系全長を短縮すると、一般的に第１レンズ群のパワーが増大する。このため、軸上の色収差や倍率の色収差などの色収差が大きく発生し、画質の低下を招く。色収差の発生を抑えるためには、レンズは、最低限、正レンズと負レンズの２枚は必要となる。この結果、単レンズにて構成する場合よりも厚くなってしまう。そこで、レンズ厚さを極力薄くするために接合レンズを用いることが多い。
【０００８】
このような結像光学系として、例えば、特開２００７−７２１１７号公報（特許文献２）に開示されたものがある。これは、第１レンズ群が物体側から順に、正レンズ、負レンズの接合レンズからなっている。
【０００９】
しかしながら、接合レンズでは、それぞれのレンズを加工後に接合している。この場合、加工上２枚のレンズはともに、ある程度の厚さが必要である。このため、第１レンズ群の厚さも、沈胴時の結像光学系の厚さも共に厚くなる。
【００１０】
また、そのような接合レンズでは、重量も大きくなりやすい。全長が可変の結像光学系では、一般に第１レンズ群での移動量が多い。そして、その第１レンズ群が重いと、モーターなどの駆動系が大きくなってしまう。この結果、カメラ全体のサイズも大きくなってしまう。
【００１１】
また、収差補正の観点では、第１レンズ群を接合レンズで構成して厚くなると、第２レンズ群のパワーが増大するか、または第３レンズ群以降の合成系の変倍負担が増大する。このため、特に変倍時のコマ収差、非点収差が発生しやすくなる。
【００１２】
さらに、一般的に低分散材料の部分分散比θｇＦは小さく、高分散材料のθｇＦは大きいため、Ｃ線とＦ線の２波長間で色収差が補正できても、その他の波長で残存色収差が大きくなりやすいという課題もある。これを２次スペクトルという。
【００１３】
本発明は、上記に鑑みてなされたものであって、色収差を悪化させずに、結像光学系の沈胴厚及び全長を薄くすることができる結像光学系を提供することを目的としている。
【課題を解決するための手段】
【００１４】
上述した課題を解決し、目的を達成するために、本発明の結像光学系は、
物体側から順に、正屈折力の第１レンズ群と、負屈折力の第２レンズ群と、第３レンズ群以降と、を有し、
前記第１レンズ群は、物体側から順に、正レンズ１枚と負レンズ１枚との張り合わせレンズからなる結像光学系であって、
変倍する際、
隣り合う各レンズ群の間隔が変化し、
前記第３レンズ群以降の合成屈折力は常に正であり、
以下の条件式（１−１）、条件式（２−１）、条件式（３−１）、及び条件式（７）を満たすことを特徴とする。
１．５０＜ｎｄn＜１．７０    …（１−１）
０．５４＜θｇＦn＜０．７２  …（２−１）
０．５１＜θｈｇn＜０．６８  …（３−１）
１．７０＜ｎｄp＜１．８５    …（７）
ここで、
ｎｄnは前記負レンズの屈折率、
θｇＦnは前記負レンズの部分分散比（ｎgn−ｎFn)／（ｎFn−ｎCn）、
θｈｇnは前記負レンズの部分分散比（ｎhn−ｎgn）／（ｎFn−ｎCn）、
ｎｄn、ｎCn、ｎFn、ｎgn、ｎhnは、各々前記負レンズのｄ線、Ｃ線、Ｆ線、ｇ線、ｈ
線に対する屈折率、
ｎｄpは前記第１レンズ群の前記正レンズの屈折率、
である。
【００１５】
また、本発明の好ましい態様によれば、以下の条件式（１−１）、条件式（２−２）及び条件式（３−２）を満たすことが好ましい。
１．５０＜ｎｄn＜１．７０        …（１−１）
０．６４５＜θｇＦn＜０．６８    …（２−２）
０．６０５＜θｈｇn＜０．６４５  …（３−２）
【００１６】
また、本発明の好ましい態様によれば、以下の条件式（４−１）を満たすことが好ましい。
０．０５＜Ｔ１ｇ／Ｆｌｔ＜０．１０  …（４−１）
ここで、
Ｔ１ｇは前記第１レンズ群の光軸上の厚さ、
Ｆｌｔは前記結像光学系全系の望遠端での焦点距離、
である。
【００１７】
また、本発明の好ましい態様によれば、以下の条件式（４−２）を満たすことが好ましい。
０．０７＜Ｔ１ｇ／Ｆｌｔ＜０．０９  …（４−２）
【００１８】
また、本発明の好ましい態様によれば、以下の条件式（６−１）を満たすことが好ましい。
１．５０＜ｎｄn＜１．７０  …（１−１）
１６＜νｄn＜２８          …（６−１）
ここで、
νｄnは前記負レンズのアッベ数、
である。
【００１９】
また、本発明の好ましい態様によれば、以下の条件式（１−２）及び条件式（６−２）を満たすことが好ましい。
１．５７＜ｎｄn＜１．６７  …（１−２）
１９＜νｄn＜２６          …（６−２）
【００２０】
また、本発明の好ましい態様によれば、前記第１レンズ群の前記正レンズと前記負レンズの境界面が非球面であることが好ましい。
【００２１】
また、本発明の好ましい態様によれば、前記非球面の形状が、光軸から離れるほど近軸の曲率に比べ曲率が小さくなる形状であることが好ましい。
【００２３】
また、本発明の好ましい態様によれば、以下の条件式（８）を満たすことが好ましい。
５５＜νｄp＜７５  …（８）
ここで、
νｄpは前記第１レンズ群の前記正レンズのアッベ数、
である。
【００２４】
また、本発明の好ましい態様によれば、前記第１レンズ群の前期負レンズが樹脂からなることが好ましい。
【００２５】
また、本発明の好ましい態様によれば、前記樹脂はエネルギー硬化型樹脂であることが好ましい。
【００２６】
また、本発明の好ましい態様によれば、前記樹脂は紫外線硬化型樹脂であることが好ましい。
【００２７】
また、本発明の好ましい態様によれば、前記第２レンズ群は、物体側から順に、正レンズ１枚と負レンズ１枚からなる接合レンズを含むことが好ましい。
【００２８】
また、本発明の好ましい態様によれば、前記第３レンズ群は、物体側から順に、正レンズ１枚と、正レンズ１枚と負レンズ１枚の接合レンズとからなることが好ましい。
【００２９】
また、本発明の好ましい態様によれば、最終レンズ群のパワーが正であることが好ましい。
【００３０】
また、本発明の好ましい態様によれば、前記最終レンズ群を光軸方向に動かすことによってフォーカシングすることが好ましい。
【００３１】
また、本発明の好ましい態様によれば、前記最終レンズ群は正レンズ１枚からなることが好ましい。
【００３２】
また、本発明の好ましい態様によれば、前記最終レンズ群は樹脂からなることが好ましい。
【００３３】
また、本発明の電子撮像装置は、上述の結像光学系と電子撮像素子とを備える。
【発明の効果】
【００３４】
本発明にかかる結像光学系は、色収差を悪化させずに、結像光学系の沈胴厚及び全長を薄くすることができる、という効果を奏する。
【図面の簡単な説明】
【００３５】
【図１】本発明の実施例１にかかる結像光学系の（ａ）は広角端、（ｂ）は中間、（ｃ）は望遠端における無限遠物点合焦時の光学構成を示す光軸に沿う断面図である。
【図２】実施例１にかかる結像光学系の無限遠物点合焦時における球面収差、非点収差、歪曲収差、倍率色収差を示す図であり、（ａ）は広角端、（ｂ）は中間、（ｃ）は望遠端での状態を示している。
【図３】本発明の実施例２にかかる結像光学系の（ａ）は広角端、（ｂ）は中間、（ｃ）は望遠端における無限遠物点合焦時の光学構成を示す光軸に沿う断面図である。
【図４】実施例２にかかる結像光学系の無限遠物点合焦時における球面収差、非点収差、歪曲収差、倍率色収差を示す図であり、（ａ）は広角端、（ｂ）は中間、（ｃ）は望遠端での状態を示している。
【図５】本発明の実施例３にかかる結像光学系の（ａ）は広角端、（ｂ）は中間、（ｃ）は望遠端における無限遠物点合焦時の光学構成を示す光軸に沿う断面図である。
【図６】実施例３にかかる結像光学系の無限遠物点合焦時における球面収差、非点収差、歪曲収差、倍率色収差を示す図であり、（ａ）は広角端、（ｂ）は中間、（ｃ）は望遠端での状態を示している。
【図７】本発明の実施例４にかかる結像光学系の（ａ）は広角端、（ｂ）は中間、（ｃ）は望遠端における無限遠物点合焦時の光学構成を示す光軸に沿う断面図である。
【図８】実施例４にかかる結像光学系の無限遠物点合焦時における球面収差、非点収差、歪曲収差、倍率色収差を示す図であり、（ａ）は広角端、（ｂ）は中間、（ｃ）は望遠端での状態を示している。
【図９】本発明の実施例５にかかる結像光学系の（ａ）は広角端、（ｂ）は中間、（ｃ）は望遠端における無限遠物点合焦時の光学構成を示す光軸に沿う断面図である。
【図１０】実施例５にかかる結像光学系の無限遠物点合焦時における球面収差、非点収差、歪曲収差、倍率色収差を示す図であり、（ａ）は広角端、（ｂ）は中間、（ｃ）は望遠端での状態を示している。
【図１１】本発明の実施例６にかかる結像光学系の（ａ）は広角端、（ｂ）は中間、（ｃ）は望遠端における無限遠物点合焦時の光学構成を示す光軸に沿う断面図である。
【図１２】実施例６にかかる結像光学系の無限遠物点合焦時における球面収差、非点収差、歪曲収差、倍率色収差を示す図であり、（ａ）は広角端、（ｂ）は中間、（ｃ）は望遠端での状態を示している。
【図１３】本発明の実施例７にかかる結像光学系の（ａ）は広角端、（ｂ）は中間、（ｃ）は望遠端における無限遠物点合焦時の光学構成を示す光軸に沿う断面図である。
【図１４】実施例７にかかる結像光学系の無限遠物点合焦時における球面収差、非点収差、歪曲収差、倍率色収差を示す図であり、（ａ）は広角端、（ｂ）は中間、（ｃ）は望遠端での状態を示している。
【図１５】本発明の実施例８にかかる結像光学系の（ａ）は広角端、（ｂ）は中間、（ｃ）は望遠端における無限遠物点合焦時の光学構成を示す光軸に沿う断面図である。
【図１６】実施例８にかかる結像光学系の無限遠物点合焦時における球面収差、非点収差、歪曲収差、倍率色収差を示す図であり、（ａ）は広角端、（ｂ）は中間、（ｃ）は望遠端での状態を示している。
【図１７】本発明による結像光学系を組み込んだデジタルカメラ４０の外観を示す前方斜視図である。
【図１８】デジタルカメラ４０の後方斜視図である。
【図１９】デジタルカメラ４０の光学構成を示す断面図である。
【図２０】本発明の結像光学系が対物光学系として内蔵された情報処理装置の一例であるパソコン３００のカバーを開いた状態の前方斜視図である。
【図２１】パソコン３００の撮影光学系３０３の断面図である。
【図２２】パソコン３００の側面図である。
【図２３】本発明の結像光学系が撮影光学系として内蔵された情報処理装置の一例である携帯電話を示す図であり、（ａ）は携帯電話４００の正面図、（ｂ）は側面図、（ｃ）は撮影光学系４０５の断面図である。
【発明を実施するための形態】
【００３６】
まず、実施例の説明に先立ち、本実施形態の結像光学系の作用効果について説明する。
本実施形態の結像光学系は、物体側から順に、正屈折力の第１レンズ群と、負屈折力の第２レンズ群と、第３レンズ群以降と、を有し、第１レンズ群は、物体側から順に、正レンズ１枚と負レンズ１枚との張り合わせレンズからなる結合光学系であって、変倍する際、隣り合う各レンズ群の間隔が変化し、第３レンズ群以降の合成屈折力は常に正であり、
以下の条件式（１−１）、条件式（２−１）、条件式（３−１）、及び条件式（７）を満たすことを特徴としている。
１．５０＜ｎｄn＜１．７０    …（１−１）
０．５４＜θｇＦn＜０．７２  …（２−１）
０．５１＜θｈｇn＜０．６８  …（３−１）
１．７０＜ｎｄp＜１．８５    …（７）
ここで、
ｎｄnは負レンズの屈折率、
θｇＦnは負レンズの部分分散比（ｎgn−ｎFn)／（ｎFn−ｎCn）、
θｈｇnは負レンズの部分分散比（ｎhn−ｎgn）／（ｎFn−ｎCn）、
ｎｄn、ｎCn、ｎFn、ｎgn、ｎhnは、各々負レンズのｄ線、Ｃ線、Ｆ線、ｇ線、ｈ線に対する屈折率、
ｎｄpは第１レンズ群の正レンズの屈折率、
である。
【００３７】
第１レンズ群は正の屈折力（パワー）を有する。このため、第１レンズ群のペッツバール和は正の値になる。負レンズの屈折率が低いと、負レンズの部分のペッツバール和は負でかつ絶対値が大きくなる。このため、第１レンズ群としてのペッツバール和はゼロに近づく。そのため、結像光学系全体のペッツバール和もゼロに近づき、像面湾曲の影響を小さく抑えることができる。
【００３８】
本実施形態結像光学系では、第１レンズ群の負レンズの屈折率ｎｄnが条件式（１−１）を満たすので、負レンズの屈折率が低い。このため、第１レンズ群のペッツバール和、及び結像光学系全体のペッツバール和をゼロに近づけられる。その結果、像面湾曲の影響を小さく抑えることができる。
【００３９】
条件式（１−１）の上限を上回ると、ペッツバール和を小さくできなくなり、像面湾曲の影響が大きくなってしまう。
条件式（１−１）の下限を下回ると、負レンズのパワーが小さくなり、望遠端での球面収差を補正することが困難になってしまう。
【００４０】
また、部分分散比θｇＦnと部分分散比θｈｇnが条件式（２−１）と（３−１）をそれぞれ満たすため、短波長域における２次スペクトルの発生を抑えることができる。短波長域の中でも、Ｃ線とＦ線の２波長間で色消しをしたときのｇ線の残存色収差は、画像のコントラストに影響する。このため、部分分散比θｇＦnが条件式（２−１）を満たすと、コントラストの高い画像を得られる。
【００４１】
また、同様にｈ線の残存色収差は画像のコントラストへの影響は小さくなるものの、色にじみの原因となる。このため、部分分散比θｈｇnが条件式（３−１）を満たすことにより、色にじみの発生を抑えた画像を得られる。その結果、画質への悪影響を抑えながら、結像光学系全長や第１レンズ群の厚さ、沈胴厚を薄くすることができる。
【００４２】
条件式（２−１）の上限を上回ると、２次スペクトルの影響が大きくなるので、コントラストの高い画像を得られなくなる。
【００４３】
条件式（３−１）の上限を上回ると、色にじみの発生が大きくなってしまう。
【００４４】
条件式（２−１）及び条件式（３−１）の下限を下回ると、正レンズの部分分散比との差が大きくなってしまうので、短波長で色収差の影響が大きくなってしまう。また、材料の製作が困難になってしまう。
【００４５】
なお、本実施形態の結像光学系は、以下の条件式（１−１）、条件式（２−２）及び条件式（３−２）を満たすことがより好ましい。
１．５０＜ｎｄn＜１．７０       …（１−１）
０．６４５＜θｇＦn＜０．６８    …（２−２）
０．６０５＜θｈｇn＜０．６４５  …（３−２）
【００４６】
部分分散比θｇＦnが条件式（２−２）を満たすと、さらに２次スペクトルの影響を抑えることができる。この場合、よりコントラストの高い画像が得られるようになるため、より好ましい。
また、部分分散比θｈｇnが条件式（３−２）を満たすと、さらに色にじみの発生を抑えられるため、より好ましい。
【００４７】
以上のように、第１レンズ群の負レンズが、条件式（１−１）、条件式（２−１）及び条件式（３−１）を満たすと、色収差などを悪化させることなく第１レンズ群の厚さや沈胴厚、結像光学系全長を薄くできる。これにより、高画質な画像を得られる薄型なカメラを得ることができる。また、条件式（１−１）、条件式（２−２）及び条件式（３−２）を満足すると、上記の効果がより良く発揮される。
【００４８】
また、本実施形態の結像光学系は、条件式（４−１）を満たすことが好ましい。
０．０５＜Ｔ１ｇ／Ｆｌｔ＜０．１０  …（４−１）
ここで、
Ｔ１ｇは第１レンズ群の光軸上の厚さ、
Ｆｌｔは結像光学系全系の望遠端での焦点距離、
である。
【００４９】
Ｔ１ｇ／Ｆｌｔが条件式（４−１）を満たすと、第１レンズ群の厚さは望遠端の焦点距離に比べ小さくなる。そのため、結像光学系を沈胴させたときの厚さも薄くなる。同時に、色収差や変倍にともなう収差変動などの各収差補正も良好に行えるようになる。
【００５０】
条件式（４−１）の上限を上回ると、第１レンズ群の厚さが厚くなるので、沈胴厚を小さくできなくなる。
【００５１】
条件式（４−１）の下限を下回ると、第１レンズ群の厚さは非常に薄くなる。しかしながら、その分正レンズのフチ肉も薄くなるので、加工や取り扱いが困難になる。また、それを防ぐためフチ肉を厚くすると、正レンズと負レンズとの接合面の曲率半径を大きくしなければならず、色収差が悪化する。
【００５２】
また、部分分散比θｇＦnが条件式（５−１）を満たすと、短波長域における２次スペクトルの発生を抑えることができる。
Ｃ線とＦ線の２波長間で色消しをしたときのｇ線の残存色収差は、画像のコントラストに影響する。このため、部分分散比θｇＦnが条件式（５−１）を満たすと、コントラストの高い画像を得られる。
【００５３】
条件式（５−１）の上限を上回ると、２次スペクトルの影響が大きくなるので、コントラストの高い画像を得られなくなる。
条件式（５−１）の下限を下回ると、正レンズの部分分散比との差が大きくなってしまうので、短波長で色収差の影響が大きくなってしまう。また、材料の製作が困難になってしまう。
【００５４】
なお、本実施形態の結像光学系は、条件式（４−２）を満たすことがより好ましい。
０．０７＜Ｔ１ｇ／Ｆｌｔ＜０．０９  …（４−２）
【００５５】
条件式（４−２）を満たすと、色収差をより抑えつつ、更に第１レンズ群の厚さを薄くできるので、より好ましい。
【００５６】
また、部分分散比θｇＦnが条件式（５−２）を満たすと、さらに２次スペクトルと短波長での色収差の影響を抑えることができる。このため、よりコントラストの高い画像が得られるようになるため、より好ましい。
【００５７】
以上のように第１レンズ群の負レンズが条件式（４−１）と条件式（５−１）を満たすと、色収差などを悪化させることなく第１レンズ群の厚さや沈胴厚、結像光学系全長をより薄くできる。その結果、より高画質な画像を得られる薄型なカメラを得ることができる。また、条件式（４−２）と条件式（５−２）を満足すると、上記の効果がより良く発揮される。
【００５８】
また、本実施形態の結像光学系は、条件式（１−１）と条件式（６−１）を満たすことが好ましい。
１．５０＜ｎｄn＜１．７０  …（１−１）
１６＜νｄn＜２８          …（６−１）
ここで、
νｄnは負レンズのアッベ数、
である。
【００５９】
条件式（１−１）については、既に述べたとおりである。
【００６０】
また、第１レンズ群の負レンズが条件式（６−１）を満たすため、負レンズにおいて分散が大きくなる。このため、第１レンズ群の正レンズと貼り合せて使用すると、色収差を良好に補正することができる。
【００６１】
条件式（６−１）の上限を上回ると、正レンズとのアッベ数の差が小さくなり、色収差の補正が困難になってしまう。
条件式（６−１）の下限を下回ると、材料の製作が困難になってしまう。
【００６２】
また、本実施形態の結像光学系は、条件式（１−２）と条件式（６−２）を満たすことがより好ましい。
１．５７＜ｎｄn＜１．６７  …（１−２）
１９＜νｄn＜２６          …（６−２）
【００６３】
条件式（１−１）については、既に述べたとおりである。アッベ数νｄnが、条件式（６−２）を満たすと、より色収差を良好に補正することができるので、より好ましい。
【００６４】
以上のように、第１レンズ群の負レンズが条件式（１−１）と条件式（６−１）を満たすと、像面湾曲と色収差をより良好に補正できる。その結果、より高画質な画像を得られる薄型なカメラを得ることができる。また、条件式（１−２）と条件式（６−２）を満足すると、上記の効果がより良く発揮される。
【００６５】
また、本実施形態の結像光学系では、第１レンズ群の正レンズと負レンズの境界面が非球面であることが好ましい。
【００６６】
正レンズと負レンズの境界面において、アッベ数νｄの差により色収差を補正することができる。第１レンズ群においては、高い像高に向かう光束は光線高の高い位置（レンズの周辺部）に入射する。このため、光線高の高い位置における面形状は、特に像高に関する高次の色収差への影響が大きい。そこで、正レンズと負レンズの境界面を非球面にすると、光線高の高い領域の形状自由度が大きくなる。その結果、像高に関する高次の倍率の色収差をよく補正できる。
【００６７】
このように、第１レンズ群の正レンズと負レンズの境界を非球面にすると、像高に関する高次の倍率の色収差を良好に補正できた画質の高い画像を得ることができる。
【００６８】
また、本実施形態の結像光学系では、非球面の形状が、光軸から離れるほど近軸の曲率に比べ曲率が小さくなる形状であることが好ましい。
【００６９】
このような形状であると、高い像高の光束が境界面に入射する角度がゆるくなるので、像高に関する高次の倍率の色収差の発生が抑えられる。そのため、像高に関する高次の倍率の色収差を良好に補正でき、画質の高い画像を得ることができる。
【００７０】
また、本実施形態の結像光学系は、条件式（７）を満たすことが好ましい。
１．７０＜ｎｄp＜１．８５  …（７）
ここで、
ｎｄpは第１レンズ群の正レンズの屈折率、
である。
【００７１】
条件式（７）を満たすと、第１レンズ群の正レンズの屈折率は高屈折率となる。この場合、レンズ面の曲率半径が同じであっても、屈折力がより高くなるので、光線を大きく曲げることができる。そのため、正レンズの曲率半径はより大きくすることができる。その結果、レンズのフチ肉を確保しやすくなるので、レンズの厚さを薄くすることができる。そのため、第１レンズ群の厚さを薄くすることができるので、沈胴厚の短縮もできる。さらに、正レンズの曲率半径をより大きくすることができることから、望遠側における球面収差の発生も少なくできる。
【００７２】
また、第１レンズ群の正レンズの屈折力を高くできるため、結像光学系全長の短縮もできる。さらに、光線を大きく曲げることができるため、第１レンズ群の外径を小さくすることもできる。
【００７３】
以上のように、条件式（７）を満たすことで、結像光学系全体の厚さや沈胴厚を薄くできることから、第１レンズ群の外径を小さくできる。その結果、薄く小型な結像光学系を得ることができる。
【００７４】
また、本実施形態の結像光学系は、条件式（８）を満たすことが好ましい。
５５＜νｄp＜７５  …（８）
ここで、
νｄpは第１レンズ群の正レンズのアッベ数、
である。
【００７５】
条件式（８）を満たすと、第１レンズ群の正レンズのアッベ数は大きく、低分散となる。
【００７６】
正レンズのフチ肉を確保しつつ第１レンズ群を薄くすると、正レンズと負レンズの境界面の曲率をゆるくする必要がある。すると、色収差の補正が困難になるので、第１レンズ群で発生する色収差が大きくなってしまう。
しかしながら、第１レンズ群の正レンズが低分散であれば、負レンズとのアッベ数の差を大きくとることができる。このため、境界の曲率がゆるくても色収差を良好に補正することができる。したがって、第１レンズ群の厚さを薄くしても、色収差の小さい高画質な画像を得ることができる。
【００７７】
また、本実施形態の結像光学系は、第１レンズ群の負レンズが樹脂からなることが好ましい。
樹脂材料はガラス材料に比較して軽く、また安価である。変倍時に第１レンズ群が動く光学系においては、一般的に第１レンズ群の移動量は大きい。そのため、第１レンズ群が軽量であると、第１レンズ群を駆動するモーターなどの駆動系を小さくでき、カメラ全体も小型化することができる。また、消費電力も抑えることができる。
【００７８】
更に、第１レンズ群の負レンズを樹脂とした場合、第１レンズ群を複合型レンズとすることができる。このとき、一般的に負レンズ部分は正レンズ上に液状の樹脂を塗布あるいは吐出した後に硬化させるため、単独で負レンズを製作する場合に比べ負レンズの中肉厚を非常に薄くすることができる。
【００７９】
そのため、第１レンズ群の厚さはほぼ正レンズ１枚の厚さ程度まで薄くすることができ、結像光学系全長及び沈胴厚を特に薄くすることができる。
【００８０】
なお、複合型レンズとは、基材となるレンズ上に樹脂レンズを直接成形したレンズである。複合型レンズは、基材となるレンズ上に樹脂を塗布し、金型で樹脂を押延し、この樹脂を硬化させることで得られる。
【００８１】
また、本実施形態の結像光学系において、上記樹脂はエネルギー硬化型樹脂であることが好ましい。
【００８２】
負レンズの樹脂がエネルギー硬化型樹脂であると、エネルギーを樹脂に与えることで、樹脂を簡単に硬化させる。そのため、容易に複合型レンズを製作することができる。エネルギー硬化型樹脂としては、例えば熱硬化型や紫外線硬化型の樹脂などがある。
【００８３】
また、本実施形態の発明の結像光学系において、上記樹脂は紫外線硬化型樹脂であることが好ましい。
紫外線硬化型樹脂だと、樹脂を加熱することなく硬化させることができる。そのため、基材となる正レンズにプラスチックなど熱耐久性の低い材料を使用することができる。また、成形装置も小型化できる。
【００８４】
また、本実施形態の結像光学系は、第２レンズ群が、物体側から順に正レンズ１枚と負レンズ１枚からなる接合レンズを含むことが好ましい。
第２レンズ群にこのような接合レンズを含むと、歪曲収差やコマ収差などの軸外収差を補正する上で高い補正効果を得ることができる。また、結像光学系を広角化した場合に、画像周辺まで収差の少ない高画質な画像を得られる。
【００８５】
また、本実施形態の結像光学系は、第３レンズ群が、物体側から順に正レンズ１枚と、正レンズ１枚と負レンズ１枚の接合レンズとからなることが好ましい。
第３レンズ群がこのような構成であるため、結像光学系の全長を短くしやすい。その結果、小型な結像光学系を得られる。
【００８６】
また、本実施形態の結像光学系は、最終レンズ群の屈折力が正であることが好ましい。
最終レンズ群が正屈折力のため、像面の近くで像高の高い光線を屈折させることができる。これにより、像面に対してほぼ垂直に近い角度で、光（主光線）を入射させることができる。これにより、センサーでのシェーディングの影響を抑えることができるので、画像周辺まで明るい画像を得ることができる。
【００８７】
また、本実施形態の結像光学系は、上記最終レンズ群を光軸方向に動かすことによってフォーカシングすることが好ましい。
第１レンズ群はフォーカシングの際の繰り出し量が大きくなる。この場合、光線をけることなくフォーカシングするためには、第１レンズ群の外径を大きくしなくてはならなくなる。そのため、第１レンズ群でフォーカシングを行なうのは実現が難しい。
【００８８】
また、第２レンズ群や第３レンズ群は変倍群である。フォーカシングのために第２レンズ群や第３レンズ群を移動させると像の倍率が変わってしまう。また、フォーカシングを行なうレンズ群の倍率が等倍近傍にある場合は、フォーカシングが不可能である。特に、高倍率化すると第２レンズ群あるいは第３レンズ群の倍率が等倍となる焦点距離が存在する。このため、第２レンズ群あるいは第３レンズ群はフォーカシングには適さなくなる。
【００８９】
一方、最終レンズ群は全ズーム域で等倍になることがない。このため、最終群を光軸方向に動かしてフォーカシングすることが可能である。また、像の倍率に大きな影響を与えずにフォーカシングすることもできる。
【００９０】
また、本実施形態の結像光学系において、上記最終レンズ群は正レンズ１枚からなることが好ましい。
【００９１】
フォーカシングを行なうレンズ群は動かす頻度が高いため、複数枚のレンズを含むと重くなる。さらに、レンズ枚数が多くなると、フォーカシングのための駆動系が大きくなるので、消費電力も大きくなる。これに対して、フォーカシングを行なうレンズ群が正レンズ１枚からなる場合には、複数枚のレンズを含む場合に比べて、レンズ群の重さを軽くできる。そのため、駆動系を小型化でき、消費電力も抑えることができる。
【００９２】
さらに、最終群自体の厚さを薄くできるため、沈胴厚を薄くすることができる。
このように、最終レンズ群が正レンズ１枚からなると、結像光学系の沈胴厚が薄く、駆動系も小型になり、小型なカメラを得ることができる。
【００９３】
また、本実施形態の結像光学系において、上記最終レンズ群は樹脂からなることが好ましい。
【００９４】
樹脂はガラスに比べて軽いため、最終レンズ群が樹脂からなるものとすると、最終レンズ群の重さをさらに軽くすることができる。したがって、更にフォーカシングのための駆動系を小型化でき、消費電力も抑えられる。その結果、より小型なカメラを得ることができる。
【００９５】
また、本実施形態の電子撮像装置は、上述した結像光学系を含む電子撮像装置とすることが好ましい。上述した結像光学系は、色収差などを悪化させることなく結像光学系全長や沈胴厚を薄くすることが可能である。そのため、電子撮像装置にこのような結像光学系を用いると、高画質な画像を得られつつ薄型化された電子撮像装置を得ることができる。
【００９６】
上述の結像光学系は、色収差などを悪化させることなく結像光学系全長や沈胴厚を薄くすることが可能なものであるため、このような結像光学系を含むと、高画質な画像を得られつつ薄型化された撮像装置を得ることができる。
【００９７】
以下の実施例はいずれも変倍光学系であるが、これに限らず単焦点光学系に適用してもよい。しかし、本発明は特に変倍光学系に適用すると、より効果が高く望ましい。
【実施例】
【００９８】
以下に、本発明にかかる結像光学系及び電子撮像装置の実施例を図面に基づいて詳細に説明する。なお、この実施例によりこの発明が限定されるものではない。
【００９９】
次に、本発明の実施例１にかかる結像光学系について説明する。図１は本発明の実施例１にかかる結像光学系の無限遠物点合焦時の光学構成を示す光軸に沿う断面図であり、（ａ）は広角端、（ｂ）は中間焦点距離状態、（ｃ）は望遠端での断面図である。
【０１００】
図２は実施例１にかかる結像光学系の無限遠物点合焦時における球面収差（ＳＡ）、非点収差（ＡＳ）、歪曲収差（ＤＴ）、倍率色収差（ＣＣ）を示す図であり、（ａ）は広角端、（ｂ）は中間焦点距離状態、（ｃ）は望遠端での状態を示している。また、ＦＩＹは像高を示している。なお、収差図における記号は、後述の実施例においても共通である。
【０１０１】
実施例１の結像光学系は、図１に示すように、物体側より順に、第１レンズ群Ｇ１と、第２レンズ群Ｇ２と、開口絞りＳと、第３レンズ群Ｇ３と、第４レンズ群Ｇ４と、を有している。なお、以下全ての実施例において、レンズ断面図中、ＬＰＦはローパスフィルタ、ＣＧはカバーガラス、Ｉは電子撮像素子の撮像面を示している。
【０１０２】
第１レンズ群Ｇ１は、物体側より順に、両凸正レンズＬ１と、像側に凸面を向けた負メニスカスレンズＬ２と、の接合レンズで構成されており、全体で正の屈折力を有している。
【０１０３】
第２レンズ群Ｇ２は、物体側より順に、物体側に凸面を向けた負メニスカスレンズＬ３と、像側に凸面を向けた正メニスカスレンズＬ４と両凹負レンズＬ５との接合レンズと、で構成されており、全体で負の屈折力を有している。
【０１０４】
第３レンズ群Ｇ３は、物体側より順に、両凸正レンズＬ６と、両凸正レンズＬ７と両凹負レンズＬ８との接合レンズと、で構成されており、全体で正の屈折力を有している。
【０１０５】
第４レンズ群Ｇ４は、両凸正レンズＬ９で構成されており、全体で正の屈折力を有している。
【０１０６】
広角端から望遠端へと変倍する際には、第１レンズ群Ｇ１は物体側へ移動する。第２レンズ群Ｇ２は物体側へ移動した後に像側へ移動する。第３レンズ群Ｇ３は物体側へ移動する。第４レンズ群Ｇ４は像側へ移動した後に物体側へ移動する。明るさ絞りＳは、第３レンズ群Ｇ３とともに移動する。
【０１０７】
非球面は、第１レンズ群Ｇ１の負メニスカスレンズＬ２の像側の面と、第２レンズ群Ｇ２の負メニスカスレンズＬ３の両面及び両凹負レンズＬ５の像側の面と、第３レンズ群Ｇ３の物体側の両凸正レンズＬ６の両面と、第４レンズ群Ｇ４の両凸正レンズＬ９の両面と、の８面に設けられている。
【０１０８】
次に、本発明の実施例２にかかる結像光学系について説明する。図３は本発明の実施例２にかかる結像光学系の無限遠物点合焦時の光学構成を示す光軸に沿う断面図であり、（ａ）は広角端、（ｂ）は中間焦点距離状態、（ｃ）は望遠端での断面図である。
【０１０９】
図４は実施例２にかかる結像光学系の無限遠物点合焦時における球面収差、非点収差、歪曲収差、倍率色収差を示す図であり、（ａ）は広角端、（ｂ）は中間焦点距離状態、（ｃ）は望遠端での状態を示している。
【０１１０】
実施例２の結像光学系は、図３に示すように、物体側より順に、第１レンズ群Ｇ１と、第２レンズ群Ｇ２と、開口絞りＳと、第３レンズ群Ｇ３と、第４レンズ群Ｇ４と、を有している。
【０１１１】
第１レンズ群Ｇ１は、物体側より順に、両凸正レンズＬ１と、像側に凸面を向けた負メニスカスレンズＬ２と、の接合レンズで構成されており、全体で正の屈折力を有している。
【０１１２】
第２レンズ群Ｇ２は、物体側より順に、物体側に凸面を向けた負メニスカスレンズＬ３と、像側に凸面を向けた正メニスカスレンズＬ４と両凹負レンズＬ５との接合レンズと、で構成されており、全体で負の屈折力を有している。
【０１１３】
第３レンズ群Ｇ３は、物体側より順に、両凸正レンズＬ６と、両凸正レンズＬ７と両凹負レンズＬ８との接合レンズと、で構成されており、全体で正の屈折力を有している。
【０１１４】
第４レンズ群Ｇ４は、両凸正レンズＬ９で構成されており、全体で正の屈折力を有している。
【０１１５】
広角端から望遠端へと変倍する際には、第１レンズ群Ｇ１は物体側へ移動する。第２レンズ群Ｇ２は物体側へ移動する。第３レンズ群Ｇ３は物体側へ移動する。第４レンズ群Ｇ４は像側へ移動した後に物体側へ移動する。明るさ絞りＳは、第３レンズ群Ｇ３とともに移動する。
【０１１６】
非球面は、第１レンズ群Ｇ１の負メニスカスレンズＬ２の両面と、第２レンズ群Ｇ２の負メニスカスレンズＬ３の両面及び両凹負レンズＬ５の像側の面と、第３レンズ群Ｇ３の物体側の両凸正レンズＬ６の両面と、第４レンズ群Ｇ４の両凸正レンズＬ９の両面と、の９面に設けられている。
【０１１７】
次に、本発明の実施例３にかかる結像光学系について説明する。図５は本発明の実施例３にかかる結像光学系の無限遠物点合焦時の光学構成を示す光軸に沿う断面図であり、（ａ）は広角端、（ｂ）は中間焦点距離状態、（ｃ）は望遠端での断面図である。
【０１１８】
図６は実施例３にかかる結像光学系の無限遠物点合焦時における球面収差、非点収差、歪曲収差、倍率色収差を示す図であり、（ａ）は広角端、（ｂ）は中間焦点距離状態、（ｃ）は望遠端での状態を示している。
【０１１９】
実施例３の結像光学系は、図５に示すように、物体側より順に、第１レンズ群Ｇ１と、第２レンズ群Ｇ２と、開口絞りＳと、第３レンズ群Ｇ３と、第４レンズ群Ｇ４と、を有している。
【０１２０】
第１レンズ群Ｇ１は、物体側より順に、両凸正レンズＬ１と、像側に凸面を向けた負メニスカスレンズＬ２と、の接合レンズで構成されており、全体で正の屈折力を有している。
【０１２１】
第２レンズ群Ｇ２は、物体側より順に、物体側に凸面を向けた負メニスカスレンズＬ３と、像側に凸面を向けた正メニスカスレンズＬ４と両凹負レンズＬ５との接合レンズと、で構成されており、全体で負の屈折力を有している。
【０１２２】
第３レンズ群Ｇ３は、物体側より順に、両凸正レンズＬ６と、両凸正レンズＬ７と両凹負レンズＬ８との接合レンズと、で構成されており、全体で正の屈折力を有している。
【０１２３】
第４レンズ群Ｇ４は、両凸正レンズＬ９で構成されており、全体で正の屈折力を有している。
【０１２４】
広角端から望遠端へと変倍する際には、第１レンズ群Ｇ１は物体側へ移動する。第２レンズ群Ｇ２は物体側へ移動した後に像側へ移動する。第３レンズ群Ｇ３は物体側へ移動する。第４レンズ群Ｇ４は像側へ移動する。明るさ絞りＳは、第３レンズ群Ｇ３とともに移動する。
【０１２５】
非球面は、第１レンズ群Ｇ１の負メニスカスレンズＬ２の両面と、第２レンズ群Ｇ２の負メニスカスレンズＬ３の両面及び両凹負レンズＬ５の像側の面と、第３レンズ群Ｇ３の物体側の両凸正レンズＬ６の両面と、第４レンズ群Ｇ４の両凸正レンズＬ９の両面と、の９面に設けられている。
【０１２６】
次に、本発明の実施例４にかかる結像光学系について説明する。図７は本発明の実施例４にかかる結像光学系の無限遠物点合焦時の光学構成を示す光軸に沿う断面図であり、（ａ）は広角端、（ｂ）は中間焦点距離状態、（ｃ）は望遠端での断面図である。
【０１２７】
図８は実施例４にかかる結像光学系の無限遠物点合焦時における球面収差、非点収差、歪曲収差、倍率色収差を示す図であり、（ａ）は広角端、（ｂ）は中間焦点距離状態、（ｃ）は望遠端での状態を示している。
【０１２８】
実施例４の結像光学系は、図７に示すように、物体側より順に、第１レンズ群Ｇ１と、第２レンズ群Ｇ２と、開口絞りＳと、第３レンズ群Ｇ３と、第４レンズ群Ｇ４と、を有している。
【０１２９】
第１レンズ群Ｇ１は、物体側より順に、両凸正レンズＬ１と、像側に凸面を向けた負メニスカスレンズＬ２と、の接合レンズで構成されており、全体で正の屈折力を有している。
【０１３０】
第２レンズ群Ｇ２は、物体側より順に、物体側に凸面を向けた負メニスカスレンズＬ３と、像側に凸面を向けた正メニスカスレンズＬ４と両凹負レンズＬ５との接合レンズと、で構成されており、全体で負の屈折力を有している。
【０１３１】
第３レンズ群Ｇ３は、物体側より順に、両凸正レンズＬ６と、両凸正レンズＬ７と両凹負レンズＬ８との接合レンズと、で構成されており、全体で正の屈折力を有している。
【０１３２】
第４レンズ群Ｇ４は、両凸正レンズＬ９で構成されており、全体で正の屈折力を有している。
【０１３３】
広角端から望遠端へと変倍する際には、第１レンズ群Ｇ１は物体側へ移動する。第２レンズ群Ｇ２は物体側へ移動した後に像側へ移動する。第３レンズ群Ｇ３は物体側へ移動する。第４レンズ群Ｇ４は像側へ移動する。明るさ絞りＳは、第３レンズ群Ｇ３とともに移動する。
【０１３４】
非球面は、第１レンズ群Ｇ１の負メニスカスレンズＬ２の両面と、第２レンズ群Ｇ２の負メニスカスレンズＬ３の両面及び両凹負レンズＬ５の像側の面と、第３レンズ群Ｇ３の物体側の両凸正レンズＬ６の両面と、第４レンズ群Ｇ４の両凸正レンズＬ９の両面と、の９面に設けられている。
【０１３５】
次に、本発明の実施例５にかかる結像光学系について説明する。図９は本発明の実施例５にかかる結像光学系の無限遠物点合焦時の光学構成を示す光軸に沿う断面図であり、（ａ）は広角端、（ｂ）は中間焦点距離状態、（ｃ）は望遠端での断面図である。
【０１３６】
図１０は実施例５にかかる結像光学系の無限遠物点合焦時における球面収差、非点収差、歪曲収差、倍率色収差を示す図であり、（ａ）は広角端、（ｂ）は中間焦点距離状態、（ｃ）は望遠端での状態を示している。
【０１３７】
実施例５の結像光学系は、図９に示すように、物体側より順に、第１レンズ群Ｇ１と、第２レンズ群Ｇ２と、開口絞りＳと、第３レンズ群Ｇ３と、第４レンズ群Ｇ４と、を有している。
【０１３８】
第１レンズ群Ｇ１は、物体側より順に、両凸正レンズＬ１と、像側に凸面を向けた負メニスカスレンズＬ２と、の接合レンズで構成されており、全体で正の屈折力を有している。
【０１３９】
第２レンズ群Ｇ２は、物体側より順に、物体側に凸面を向けた負メニスカスレンズＬ３と、像側に凸面を向けた正メニスカスレンズＬ４と両凹負レンズＬ５との接合レンズと、で構成されており、全体で負の屈折力を有している。
【０１４０】
第３レンズ群Ｇ３は、物体側より順に、両凸正レンズＬ６と、両凸正レンズＬ７と両凹負レンズＬ８との接合レンズと、で構成されており、全体で正の屈折力を有している。
【０１４１】
第４レンズ群Ｇ４は、両凸正レンズＬ９で構成されており、全体で正の屈折力を有している。
【０１４２】
広角端から望遠端へと変倍する際には、第１レンズ群Ｇ１は物体側へ移動する。第２レンズ群Ｇ２は物体側へ移動した後に像側へする。第３レンズ群Ｇ３は物体側へ移動する。第４レンズ群Ｇ４は像側へ移動した後に物体側へ移動する。明るさ絞りＳは、第３レンズ群Ｇ３とともに移動する。
【０１４３】
非球面は、第１レンズ群Ｇ１の負メニスカスレンズＬ２の両面と、第２レンズ群Ｇ２の負メニスカスレンズＬ３の両面及び両凹負レンズＬ５の像側の面と、第３レンズ群Ｇ３の物体側の両凸正レンズＬ６の両面と、第４レンズ群Ｇ４の両凸正レンズＬ９の両面と、の９面に設けられている。
【０１４４】
次に、本発明の実施例６にかかる結像光学系について説明する。図１１は本発明の実施例６にかかる結像光学系の無限遠物点合焦時の光学構成を示す光軸に沿う断面図であり、（ａ）は広角端、（ｂ）は中間焦点距離状態、（ｃ）は望遠端での断面図である。
【０１４５】
図１２は実施例６にかかる結像光学系の無限遠物点合焦時における球面収差、非点収差、歪曲収差、倍率色収差を示す図であり、（ａ）は広角端、（ｂ）は中間焦点距離状態、（ｃ）は望遠端での状態を示している。
【０１４６】
実施例６の結像光学系は、図１１に示すように、物体側より順に、第１レンズ群Ｇ１と、第２レンズ群Ｇ２と、開口絞りＳと、第３レンズ群Ｇ３と、第４レンズ群Ｇ４と、を有している。
【０１４７】
第１レンズ群Ｇ１は、物体側より順に、両凸正レンズＬ１と、像側に凸面を向けた負メニスカスレンズＬ２と、の接合レンズで構成されており、全体で正の屈折力を有している。
【０１４８】
第２レンズ群Ｇ２は、物体側より順に、物体側に凸面を向けた負メニスカスレンズＬ３と、像側に凸面を向けた正メニスカスレンズＬ４と両凹負レンズＬ５との接合レンズと、で構成されており、全体で負の屈折力を有している。
【０１４９】
第３レンズ群Ｇ３は、物体側より順に、両凸正レンズＬ６と、両凸正レンズＬ７と両凹負レンズＬ８との接合レンズと、で構成されており、全体で正の屈折力を有している。
【０１５０】
第４レンズ群Ｇ４は、両凸正レンズＬ９で構成されており、全体で正の屈折力を有している。
【０１５１】
広角端から望遠端へと変倍する際には、第１レンズ群Ｇ１は物体側へ移動する。第２レンズ群Ｇ２は物体側へ移動した後に像側へする。第３レンズ群Ｇ３は物体側へ移動する。第４レンズ群Ｇ４は像側へ移動した後に物体側へ移動する。明るさ絞りＳは、第３レンズ群Ｇ３とともに移動する。
【０１５２】
非球面は、第１レンズ群Ｇ１の負メニスカスレンズＬ２の像側の面と、第２レンズ群Ｇ２の負メニスカスレンズＬ３の両面及び両凹負レンズＬ５の像側の面と、第３レンズ群Ｇ３の物体側の両凸正レンズＬ６の両面と、第４レンズ群Ｇ４の両凸正レンズＬ９の両面と、の８面に設けられている。
【０１５３】
次に、本発明の実施例７にかかる結像光学系について説明する。図１３は本発明の実施例７にかかる結像光学系の無限遠物点合焦時の光学構成を示す光軸に沿う断面図であり、（ａ）は広角端、（ｂ）は中間焦点距離状態、（ｃ）は望遠端での断面図である。
【０１５４】
図１４は実施例７にかかる結像光学系の無限遠物点合焦時における球面収差、非点収差、歪曲収差、倍率色収差を示す図であり、（ａ）は広角端、（ｂ）は中間焦点距離状態、（ｃ）は望遠端での状態を示している。
【０１５５】
実施例７の結像光学系は、図１３に示すように、物体側より順に、第１レンズ群Ｇ１と、第２レンズ群Ｇ２と、開口絞りＳと、第３レンズ群Ｇ３と、第４レンズ群Ｇ４と、を有している。
【０１５６】
第１レンズ群Ｇ１は、物体側より順に、両凸正レンズＬ１と、像側に凸面を向けた負メニスカスレンズＬ２と、の接合レンズで構成されており、全体で正の屈折力を有している。
【０１５７】
第２レンズ群Ｇ２は、物体側より順に、物体側に凸面を向けた負メニスカスレンズＬ３と、像側に凸面を向けた正メニスカスレンズＬ４と両凹負レンズＬ５との接合レンズと、で構成されており、全体で負の屈折力を有している。
【０１５８】
第３レンズ群Ｇ３は、物体側より順に、両凸正レンズＬ６と、両凸正レンズＬ７と両凹負レンズＬ８との接合レンズと、で構成されており、全体で正の屈折力を有している。
【０１５９】
第４レンズ群Ｇ４は、両凸正レンズＬ９で構成されており、全体で正の屈折力を有している。
【０１６０】
広角端から望遠端へと変倍する際には、第１レンズ群Ｇ１は物体側へ移動する。第２レンズ群Ｇ２は物体側へ移動した後に像側へ移動する。第３レンズ群Ｇ３は物体側へ移動する。第４レンズ群Ｇ４は像側へ移動する。明るさ絞りＳは、第３レンズ群Ｇ３とともに移動する。
【０１６１】
非球面は、第１レンズ群Ｇ１の負メニスカスレンズＬ２の像側の面と、第２レンズ群Ｇ２の負メニスカスレンズＬ３の両面及び両凹負レンズＬ５の像側の面と、第３レンズ群Ｇ３の物体側の両凸正レンズＬ６の両面と、第４レンズ群Ｇ４の両凸正レンズＬ９の像側の面と、の７面に設けられている。
【０１６２】
次に、本発明の実施例８にかかる結像光学系について説明する。図１５は本発明の実施例８にかかる結像光学系の無限遠物点合焦時の光学構成を示す光軸に沿う断面図であり、（ａ）は広角端、（ｂ）は中間焦点距離状態、（ｃ）は望遠端での断面図である。
【０１６３】
図１６は実施例８にかかる結像光学系の無限遠物点合焦時における球面収差、非点収差、歪曲収差、倍率色収差を示す図であり、（ａ）は広角端、（ｂ）は中間焦点距離状態、（ｃ）は望遠端での状態を示している。
【０１６４】
実施例８の結像光学系は、図１５に示すように、物体側より順に、第１レンズ群Ｇ１と、第２レンズ群Ｇ２と、開口絞りＳと、第３レンズ群Ｇ３と、第４レンズ群Ｇ４と、を有している。
【０１６５】
第１レンズ群Ｇ１は、物体側より順に、両凸正レンズＬ１と、像側に凸面を向けた負メニスカスレンズＬ２と、の接合レンズで構成されており、全体で正の屈折力を有している。
【０１６６】
第２レンズ群Ｇ２は、物体側より順に、物体側に凸面を向けた負メニスカスレンズＬ３と、像側に凸面を向けた正メニスカスレンズＬ４と両凹負レンズＬ５との接合レンズと、で構成されており、全体で負の屈折力を有している。
【０１６７】
第３レンズ群Ｇ３は、物体側より順に、両凸正レンズＬ６と、両凸正レンズＬ７と両凹負レンズＬ８との接合レンズと、で構成されており、全体で正の屈折力を有している。
【０１６８】
第４レンズ群Ｇ４は、両凸正レンズＬ９で構成されており、全体で正の屈折力を有している。
【０１６９】
広角端から望遠端へと変倍する際には、第１レンズ群Ｇ１は物体側へ移動する。第２レンズ群Ｇ２は像側へ移動する。第３レンズ群Ｇ３は物体側へ移動する。第４レンズ群Ｇ４は像側へ移動する。明るさ絞りＳは、第３レンズ群Ｇ３とともに移動する。
【０１７０】
非球面は、第１レンズ群Ｇ１の負メニスカスレンズＬ２の両面と、第２レンズ群Ｇ２の負メニスカスレンズＬ３の両面及び両凹負レンズＬ５の像側の面と、第３レンズ群Ｇ３の物体側の両凸正レンズＬ６の両面と、第４レンズ群Ｇ４の両凸正レンズＬ９の両面と、の９面に設けられている。
【０１７１】
次に、上記各実施例の結像光学系を構成する光学部材の数値データを掲げる。なお、各実施例の数値データにおいて、ｒ１、ｒ２、…は各レンズ面の曲率半径、ｄ１、ｄ２、…は各レンズの肉厚または空気間隔、ｎｄ１、ｎｄ２、…は各レンズのｄ線での屈折率、νｄ１、νｄ２、…は各レンズのアッべ数、Ｆｎｏ．はＦナンバー、ｆは全系焦点距離、Ｄ０は物体から第１面までの距離をそれぞれ表している。また、＊は非球面を示している。
【０１７２】
また、非球面形状は、光軸方向をｚ、光軸に直交する方向をｙにとり、円錐係数をＫ、非球面係数をＡ４、Ａ６、Ａ８、Ａ１０としたとき、次の式（Ｉ）で表される。
ｚ＝（ｙ2／ｒ）／［１＋｛１−（１＋Ｋ）（ｙ／ｒ）2｝1/2］＋Ａ４ｙ4＋Ａ６ｙ6＋Ａ８ｙ8＋Ａ１０ｙ10  …（Ｉ）
また、Ｅは１０のべき乗を表している。なお、これら諸元値の記号は後述の実施例の数値データにおいても共通である。
【０１７３】
次に、各実施例における条件式の値を掲げる。
数値実施例1
単位    ｍｍ
面データ
面番号        r          d         nd        νd        ER
物面          ∞         ∞
1          38.7462     3.8780    1.74320     49.34     8.300
2         -30.5842     0.1001    1.63387     23.38     8.047
3＊      -167.1523     可変                            7.882
4＊       331.7471     0.8000    1.85135     40.10     5.961
5＊         6.5610     2.7714                          4.691
6         -98.0412     1.3706    1.94595     17.98     4.600
7         -14.2755     0.7000    1.74320     49.34     4.586
8＊       118.5805     可変                            4.502
9(絞り)      ∞        0.                              2.238
10＊        4.7451     2.3450    1.59201     67.02     2.400
11＊      -22.1177     0.1010                          2.309
12          6.4853     1.6679    1.49700     81.54     2.263
13         -6.8834     0.5720    1.62004     36.26     2.102
14          3.2387     可変                            1.900
15＊       21.9061     2.9450    1.52542     55.78     5.011
16＊      -13.2508     可変                            5.119
17           ∞        0.4000    1.51633     64.14     4.312
18           ∞        0.5000                          4.274
19           ∞        0.5000    1.51633     64.14     4.207
20           ∞        可変                            4.164
像面         ∞
非球面データ
第3面
K=0
A2=0.0000E+00,A4=7.1261E-06,A6=-9.5994E-11,A8=2.8435E-10,A10=-3.3886E-12
第4面
K=0
A2=0.0000E+00,A4=-2.2711E-04,A6=1.6054E-05,A8=-7.9231E-07,A10=1.7115E-08,
A12=-1.4630E-10
第5面
K=0
A2=0.0000E+00,A4=7.4976E-06,A6=1.9171E-05,A8=-2.5872E-07,A10=1.4664E-09,
A12=-1.1648E-09
第8面
K=0
A2=0.0000E+00,A4=-3.9092E-04,A6=-4.5615E-06,A8=-1.9641E-07,A10=1.1959E-08,
A12=2.3141E-10
第10面
K=0
A2=0.0000E+00,A4=-3.5333E-04,A6=2.1251E-05,A8=2.3517E-09,A10=7.4353E-07,
A12=-1.0754E-08
第11面
K=0
A2=0.0000E+00,A4=1.0797E-03,A6=6.3243E-05,A8=-1.0480E-07,A10=1.6437E-06,
A12=-4.0748E-08
第15面
K=0.1753
A2=0.0000E+00,A4=2.4585E-04,A6=-4.0236E-06,A8=-1.6021E-07,A10=0.0000E+00
第16面
K=-12.8225
A2=0.0000E+00,A4=3.7539E-06,A6=-1.4288E-05,A8=6.8251E-08,A10=0.0000E+00
各種データ
ズーム比         9.6408
広角        中間          望遠
焦点距離         5.04205     15.62612     48.60930
ＦＮＯ．         2.91490      5.05867      6.00000
画角２ω        80.70        26.92         8.86
像高             3.83000      3.83000      3.83000
レンズ全長      38.15640     46.99177     57.74277
BF               4.89017      2.89599      4.08258
入射瞳位置      10.44122     23.91418     68.14399
射出瞳位置     -13.28680   -577.87906     82.97440
d3               0.30000      7.89933     19.56758
d8              13.56406      6.42475      0.20022
d14              2.15124     12.52076     16.64146
d16              3.41026      1.38767      2.55974
d20              0.38637      0.41478      0.42930
ズームレンズ群データ
群  始面  焦点距離
1    1     23.5602
2    2    -59.0721
3    4     -7.8710
4    6     17.5237
5    7    -17.1058
6    10     6.8209
7    12     7.0091
8    13    -3.4769
9    15    16.1811
ズームレンズ群データ
群  始面   焦点距離  レンズ構成長  前側主点位置  後側主点位置
1     1    38.12656    3.97809       0.63363      -1.67971
2     4    -7.75907    5.64199       0.45263      -3.86127
3     9     9.78868    4.68587      -4.15703      -4.89633
4    15    16.18105    2.94498       1.23869      -0.74927
5    17      ∞        1.40000       0.           -1.09354
群  始面   広角倍率   中間倍率   望遠倍率
1     1     0.         0.         0.
2     4    -0.27775   -0.38155   -0.89518
3     9    -0.73084   -1.38654   -2.03059
4    15     0.65148    0.77472    0.70139
5    17     1.00000    1.00000    1.00000
【０１７４】
数値実施例2
単位    ｍｍ
面データ
面番号        r          d         nd        νd        ER
物面          ∞         ∞
1          37.6256     3.8459    1.74320     49.34     8.300
2＊       -24.3421     0.1175    1.63387     23.38     8.057
3＊      -160.7510     可変                            7.889
4＊       443.0467     0.8000    1.85135     40.10     5.976
5＊         6.3421     2.9963                          4.552
6         -99.7376     1.3794    1.94595     17.98     4.500
7         -13.5019     0.7000    1.74320     49.34     4.506
8＊        96.0909     可変                            4.462
9(絞り)       ∞       0.                              2.534
10＊        4.7283     2.4785    1.59201     67.02     2.700
11＊      -24.4763     0.1010                          2.560
12          6.6975     1.7002    1.49700     81.54     2.519
13         -8.0759     0.5676    1.62004     36.26     2.369
14          3.3152     可変                            2.137
15＊       22.6097     2.8426    1.52542     55.78     5.007
16＊      -14.3688     可変                            5.061
17            ∞       0.4000    1.51633     64.14     4.349
18            ∞       0.5000                          4.313
19            ∞       0.5000    1.51633     64.14     4.245
20            ∞       可変                            4.201
像面          ∞
非球面データ
第2面
K=0
A2=0.0000E+00,A4=2.7132E-05,A6=4.4733E-07,A8=1.5703E-11,A10=0.0000E+00
第3面
K=0
A2=0.0000E+00,A4=4.9319E-06,A6=-6.6642E-08,A8=-3.1944E-10,A10=4.7054E-14
第4面
K=0
A2=0.0000E+00,A4=-1.3518E-04,A6=1.9930E-06,A8=-2.7242E-08,A10=1.0017E-10,
A12=-2.6870E-13
第5面
K=0
A2=0.0000E+00,A4=1.3274E-04,A6=-1.9445E-06,A8=7.4692E-07,A10=-1.8659E-08,
A12=-2.6362E-10
第8面
K=0
A2=0.0000E+00,A4=-4.0904E-04,A6=-1.6552E-06,A8=-3.2443E-07,A10=2.0395E-08,
A12=-4.0672E-10
第10面
K=0
A2=0.0000E+00,A4=-4.0203E-04,A6=8.3604E-05,A8=-3.0703E-06,A10=1.6765E-09,
A12=6.5791E-08
第11面
K=0
A2=0.0000E+00,A4=1.1493E-03,A6=1.6702E-04,A8=1.6150E-07,A10=-1.7725E-06,
A12=3.4641E-07
第15面
K=2.2323
A2=0.0000E+00,A4=1.1897E-04,A6=-1.3050E-06,A8=-6.0952E-08,A10=0.0000E+00
第16面
K=-1.4366
A2=0.0000E+00,A4=4.9634E-04,A6=-3.0197E-05,A8=4.7407E-07,A10=0.0000E+00
各種データ
ズーム比         9.6374
広角        中間          望遠
焦点距離         5.04248     15.62724     48.59655
ＦＮＯ．         2.65542      4.67023      6.00000
画角２ω        80.70        26.96         8.87
像高             3.83000      3.83000      3.83000
レンズ全長      38.69447     46.78900     57.75537
BF               4.80897      2.53923      2.70786
入射瞳位置      10.34364     22.40600     61.91793
射出瞳位置     -13.73124   -359.52622     72.84104
d3               0.30000      7.09563     17.55550
d8              13.55830      6.45549      0.97647
d14              2.49810     13.16957     18.98645
d16              3.32887      1.02939      1.17246
d20              0.38657      0.41629      0.44186
ズームレンズ群データ
群  始面  焦点距離
1    1     20.4276
2    2    -45.2703
3    4     -7.5640
4    6     16.3808
5    7    -15.8858
6    10     6.9119
7    12     7.6593
8    13    -3.7197
9    15    17.1757
ズームレンズ群データ
群  始面   焦点距離  レンズ構成長  前側主点位置  後側主点位置
1     1    35.95496    3.96346       0.67917      -1.62907
2     4    -7.41239    5.87568       0.47062      -4.06020
3     9     9.71529    4.84737      -4.12568      -4.94253
4     15   17.17568    2.84258       1.17037      -0.74379
5     17     ∞        1.40000       0.           -1.09354
群  始面   広角倍率   中間倍率   望遠倍率
1     1    0.         0.         0.
2     4   -0.28353   -0.38312   -0.83404
3     9   -0.73094   -1.40253   -2.02812
4     15   0.67671    0.80886    0.79904
5     17   1.00000    1.00000    1.00000
【０１７５】
数値実施例3
単位    ｍｍ
面データ
面番号        r          d         nd        νd        ER
物面          ∞         ∞
1          33.5637     3.8561    1.74320     49.34     8.300
2＊       -23.6751     0.1010    1.63419     23.39     8.055
3＊      -177.9248      可変                           7.871
4＊       351.6671     0.8000    1.85135     40.10     5.888
5＊         6.2223     2.8748                          4.524
6        -221.5865     1.4049    1.94595     17.98     4.400
7         -14.0404     0.7000    1.74320     49.34     4.378
8＊        48.2566      可変                           4.275
9(絞り)       ∞       0.                              2.336
10＊        5.2429     4.1608    1.59201     67.02     2.450
11＊      -30.5958     0.1010                          2.365
12          5.8118     1.2779    1.49700     81.54     2.350
13         -8.8779     0.5434    1.62004     36.26     2.295
14          3.7537      可変                           2.165
15＊       22.6097     2.6205    1.52542     55.78     5.056
16＊      -14.3688      可変                           5.105
17            ∞       0.4000    1.51633     64.14     4.350
18            ∞       0.5000                          4.316
19            ∞       0.5000    1.51633     64.14     4.251
20            ∞        可変                           4.208
像面          ∞
非球面データ
第2面
K=0
A2=0.0000E+00,A4=2.5867E-05,A6=-1.6267E-07,A8=1.0628E-08,A10=0.0000E+00
第3面
K=0
A2=0.0000E+00,A4=6.6904E-06,A6=6.3210E-08,A8=-2.6115E-09,A10=0.0000E+00
第4面
K=0
A2=0.0000E+00,A4=-5.2193E-05,A6=-7.4029E-06,A8=1.8920E-07,A10=-1.3669E-09
第5面
K=0
A2=0.0000E+00,A4=2.1987E-04,A6=-5.5666E-06,A8=-3.3971E-07,A10=0.0000E+00
第8面
K=0
A2=0.0000E+00,A4=-4.6053E-04,A6=-3.8234E-06,A8=1.6434E-07,A10=0.0000E+00
第10面
K=0
A2=0.0000E+00,A4=-2.5237E-04,A6=-5.6791E-06,A8=1.1821E-06,A10=0.0000E+00
第11面
K=0
A2=0.0000E+00,A4=1.1628E-03,A6=1.6702E-04,A8=5.7620E-06,A10=0.0000E+00
第15面
K=2.2323
A2=0.0000E+00,A4=1.1897E-04,A6=-1.3050E-06,A8=-6.0952E-08,A10=0.0000E+00
第16面
K=-1.4366
A2=0.0000E+00,A4=4.9634E-04,A6=-3.0197E-05,A8=4.7407E-07,A10=0.0000E+00
各種データ
ズーム比         9.6416
広角        中間          望遠
焦点距離         5.04220     15.62797     48.61484
ＦＮＯ．         2.85743      4.81962      5.99414
画角２ω        80.70        26.79         8.86
像高             3.83000      3.83000      3.83000
レンズ全長      39.43235     48.80462     57.73602
BF               5.47663      3.56194      3.46182
入射瞳位置      10.36699     24.73984     64.89698
射出瞳位置     -14.38954   -372.75423     78.18348
d3               0.30000      7.54587     16.87792
d8              13.20125      6.59591      0.99905
d14              2.01414     12.66057     17.95691
d16              3.99974      2.06308      1.94683
d20              0.38335      0.40532      0.42145
ズームレンズ群データ
群  始面  焦点距離
1    1     19.2319
2    2    -43.0721
3    4     -7.4484
4    6     15.7949
5    7    -14.5643
6    10     7.9017
7    12     7.2775
8    13    -4.1860
9    15    17.1393
ズームレンズ群データ
群  始面   焦点距離  レンズ構成長  前側主点位置  後側主点位置
1     1    33.43841    3.95706       0.61152      -1.69267
2     4    -7.02584    5.77969       0.59237      -3.75026
3     9     9.99048    6.08312      -3.54503      -5.25771
4     15   17.13925    2.62045       1.07663      -0.68421
5     17     ∞        1.40000       0.           -1.09354
群  始面   広角倍率   中間倍率   望遠倍率
1     1     0.         0.         0.
2     4    -0.29486   -0.42371   -0.96913
3     9    -0.79838   -1.46629   -1.97886
4     15    0.64054    0.75226    0.75810
5     17    1.00000    1.00000    1.00000
【０１７６】
数値実施例4
単位    ｍｍ
面データ
面番号        r          d         nd        νd        ER
物面          ∞         ∞
1          33.4995     3.8549    1.74320     49.34     8.300
2＊       -24.0415     0.1020    1.63408     23.39     8.054
3＊      -184.2664      可変                           7.870
4＊       408.0248     0.8000    1.85135     40.10     5.892
5＊         6.2345     2.8693                          4.517
6        -226.7782     1.3680    1.94595     17.98     4.400
7         -13.9046     0.7000    1.74320     49.34     4.381
8＊        48.7621      可変                           4.283
9(絞り)       ∞       0.                              2.329
10＊        5.2570     4.1685    1.59201     67.02     2.450
11＊      -31.3921     0.1010                          2.366
12          5.7722     1.2811    1.49700     81.54     2.350
13         -8.9679     0.5457    1.62004     36.26     2.295
14          3.7552      可変                           2.165
15＊       22.6097     2.5873    1.52542     55.78     5.056
16＊      -14.3688      可変                           5.104
17            ∞       0.4000    1.51633     64.14     4.351
18            ∞       0.5000                          4.317
19            ∞       0.5000    1.51633     64.14     4.252
20            ∞        可変                           4.210
像面          ∞
非球面データ
第2面
K=0
A2=0.0000E+00,A4=2.4255E-05,A6=-1.6024E-07,A8=1.0292E-08,A10=0.0000E+00
第3面
K=0
A2=0.0000E+00,A4=6.5739E-06,A6=6.4429E-08,A8=-2.5473E-09,A10=0.0000E+00
第4面
K=0
A2=0.0000E+00,A4=-4.7468E-05,A6=-7.0879E-06,A8=1.8324E-07,A10=-1.3494E-09
第5面
K=0
A2=0.0000E+00,A4=2.3209E-04,A6=-5.5503E-06,A8=-2.6484E-07,A10=0.0000E+00
第8面
K=0
A2=0.0000E+00,A4=-4.6306E-04,A6=-3.6484E-06,A8=1.3207E-07,A10=0.0000E+00
第10面
K=0
A2=0.0000E+00,A4=-2.4582E-04,A6=-4.7771E-06,A8=1.1377E-06,A10=0.0000E+00
第11面
K=0
A2=0.0000E+00,A4=1.1581E-03,A6=5.9424E-06,A8=5.6155E-06,A10=0.0000E+00
第15面
K=2.2323
A2=0.0000E+00,A4=1.1897E-04,A6=-1.3050E-06,A8=-6.0952E-08,A10=0.0000E+00
第16面
K=-1.4366
A2=0.0000E+00,A4=4.9634E-04,A6=-3.0197E-05,A8=4.7407E-07,A10=0.0000E+00
各種データ
ズーム比         9.6421
広角        中間          望遠
焦点距離         5.04198     15.62788     48.61538
ＦＮＯ．         2.86665      4.82620      6.00000
画角２ω        80.70        26.79         8.86
像高             3.83000      3.83000      3.83000
レンズ全長      39.46471     48.81193     57.73565
BF               5.45719      3.52427      3.45964
入射瞳位置      10.37149     24.91621     65.14585
射出瞳位置     -14.45593   -364.85480     78.65951
d3               0.30000      7.62161     16.97403
d8              13.26587      6.63986      0.99970
d14              2.06373     12.64827     17.92436
d16              3.98036      2.02562      1.94496
d20              0.38329      0.40510      0.42115
ズームレンズ群データ
群  始面  焦点距離
1    1     19.3867
2    2    -43.6153
3    4     -7.4436
4    6     15.6106
5    7    -14.4890
6    10     7.9421
7    12     7.2760
8    13    -4.1999
9    15    17.1338
ズームレンズ群データ
群  始面   焦点距離  レンズ構成長  前側主点位置  後側主点位置
1     1    33.59323    3.95693       0.59994      -1.70369
2     4    -7.05101    5.73730       0.58147      -3.74168
3     9     9.99930    6.09637      -3.54447      -5.26352
4     15   17.13383    2.58732       1.06268      -0.67535
5     17      ∞       1.40000       0.           -1.09354
群  始面   広角倍率   中間倍率   望遠倍率
1     1     0.         0.         0.
2     4    -0.29432   -0.42385   -0.96814
3     9    -0.79422   -1.45394   -1.97030
4     15    0.64208    0.75489    0.75867
5     17    1.00000    1.00000    1.00000
【０１７７】
数値実施例5
単位    ｍｍ
面データ
面番号        r          d         nd        νd        ER
物面          ∞         ∞
1          38.8392     3.8776    1.74320     49.34     8.300
2＊       -30.5816     0.1003    1.63399     23.39     8.047
3＊      -167.1533      可変                           7.883
4＊       329.0172     0.8000    1.85135     40.10     6.100
5＊         6.5764     2.7790                          4.810
6         -97.9563     1.3767    1.94595     17.98     4.850
7         -14.3002     0.7000    1.74320     49.34     4.706
8＊       118.7316      可変                           4.579
9(絞り)       ∞       0.                              2.242
10＊        4.7460     2.3447    1.59201     67.02     2.350
11＊      -22.1152     0.1010                          2.319
12          6.4846     1.6660    1.49700     81.54     2.302
13         -6.8683     0.5715    1.62004     36.26     2.174
14          3.2402      可変                           2.004
15＊       21.9160     2.9514    1.52542     55.78     4.994
16＊      -13.2543      可変                           5.113
17            ∞       0.4000    1.51633     64.14     4.313
18            ∞       0.5000                          4.276
19            ∞       0.5000    1.51633     64.14     4.210
20            ∞        可変                           4.168
像面          ∞
非球面データ
第2面
K=0
A2=0.0000E+00,A4=2.4255E-05,A6=-1.6024E-07,A8=1.0292E-08,A10=0.0000E+00
第3面
K=0
A2=0.0000E+00,A4=7.0692E-06,A6=-7.0296E-11,A8=2.8247E-10,A10=-3.3634E-12
第4面
K=0
A2=0.0000E+00,A4=-2.2158E-04,A6=1.5111E-05,A8=-7.2165E-07,A10=1.5107E-08,
A12=-1.2600E-10
第5面
K=0
A2=0.0000E+00,A4=1.7090E-05,A6=1.7653E-05,A8=-1.7011E-07,A10=1.7201E-09,
A12=-1.1848E-09
第8面
K=0
A2=0.0000E+00,A4=-3.9027E-04,A6=-4.2746E-06,A8=-2.0925E-07,A10=1.1892E-08,
A12=2.1801E-10
第10面
K=0
A2=0.0000E+00,A4=-3.4649E-04,A6=2.1064E-05,A8=1.5810E-09,A10=7.0622E-07,
A12=-5.8766E-09
第11面
K=0
A2=0.0000E+00,A4=1.0885E-03,A6=6.2072E-05,A8=-1.0400E-07,A10=1.5818E-06,
A12=-2.9358E-08
第15面
K=0.2108
A2=0.0000E+00,A4=2.3022E-04,A6=-4.0382E-06,A8=-1.7950E-07,A10=0.0000E+00
第16面
K=-12.6934
A2=0.0000E+00,A4=4.3373E-06,A6=-1.5709E-05,A8=8.3094E-08,A10=0.0000E+00
各種データ
ズーム比         9.6407
広角        中間          望遠
焦点距離         5.04205     15.62604     48.60895
ＦＮＯ．         2.90925      5.05429      6.00000
画角２ω        80.70        26.92         8.86
像高             3.83000      3.83000      3.83000
レンズ全長      38.20171     47.01914     57.74305
BF               4.87698      2.79519      4.00499
入射瞳位置      10.45598     24.01559     68.15408
射出瞳位置     -13.30843   -612.61660     82.58418
d3               0.30000      7.93153     19.58684
d8              13.59226      6.47536      0.21040
d14              2.16430     12.54888     16.67265
d16              3.39705      1.28671      2.48187
d20              0.38638      0.41495      0.42959
ズームレンズ群データ
群  始面  焦点距離
1    1     23.5833
2    2    -59.0554
3    4     -7.8912
4    6     17.5611
5    7    -17.1347
6    10     6.8217
7    12     7.0012
8    13    -3.4755
9    15    16.1873
ズームレンズ群データ
群  始面   焦点距離  レンズ構成長  前側主点位置  後側主点位置
1     1    38.19622    3.97792       0.63450      -1.67871
2     4    -7.77672    5.65563       0.45325      -3.87121
3     9     9.79533    4.68318      -4.15548      -4.89573
4     15   16.18727    2.95144       1.24156      -0.75087
5     17     ∞        1.40000       0.           -1.09354
群  始面   広角倍率   中間倍率   望遠倍率
1     1     0.         0.         0.
2     4    -0.27786   -0.38204   -0.89380
3     9    -0.72826   -1.37123   -2.01617
4     15    0.65233    0.78094    0.70620
5     17    1.00000    1.00000    1.00000
【０１７８】
数値実施例6
単位    ｍｍ
面データ
面番号        r          d         nd        νd        ER
物面          ∞         ∞
1           40.5092     3.8407    1.78800     47.37     8.300
2          -31.3780     0.0996    1.63387     23.38     7.705
3＊       -178.3296      可変                           7.500
4＊        325.4751     0.8000    1.85135     40.10     6.061
5＊          6.5718     2.9145                          4.719
6          -94.5898     1.4574    1.94595     17.98     4.850
7          -15.2329     0.7000    1.74320     49.34     4.657
8＊        118.2346      可変                           4.590
9(絞り)        ∞       0.                              2.312
10＊         4.7528     2.3618    1.59201     67.02     2.556
11＊       -21.9098     0.1010                          2.452
12           6.4631     1.6574    1.49700     81.54     2.394
13          -6.7779     0.5689    1.62004     36.26     2.239
14           3.2368      可変                           2.000
15＊        20.7709     3.1434    1.52542     55.78     4.794
16＊       -13.8253      可変                           5.000
17             ∞       0.4000    1.51633     64.14     4.302
18             ∞       0.5000                          4.264
19             ∞       0.5000    1.51633     64.14     4.209
20             ∞        可変                           4.180
像面           ∞
非球面データ
第3面
K=0
A2=0.0000E+00,A4=8.3809E-06,A6=1.1954E-08,A8=7.4863E-11,A10=-2.0898E-12
第4面
K=0
A2=0.0000E+00,A4=-2.8582E-04,A6=1.5960E-05,A8=-5.1652E-07,A10=7.2923E-09,
A12=-4.1716E-11
第5面
K=0
A2=0.0000E+00,A4=-2.6296E-05,A6=3.2055E-06,A8=1.0291E-06,A10=-1.2688E-08,
A12=-1.2986E-09
第8面
K=0
A2=0.0000E+00,A4=-4.0466E-04,A6=3.9510E-06,A8=-8.1664E-07,A10=2.8866E-08,
A12=-5.7841E-11
第10面
K=0
A2=0.0000E+00,A4=-2.7296E-04,A6=1.5915E-05,A8=-7.9974E-08,A10=4.8361E-07,
A12=2.0810E-08
第11面
K=0
A2=0.0000E+00,A4=1.2100E-03,A6=4.9644E-05,A8=-2.6834E-06,A10=1.7408E-06,
A12=-5.0032E-10
第15面
K=-1.2413
A2=0.0000E+00,A4=2.4587E-04,A6=6.1111E-06,A8=-1.0328E-06,A10=0.0000E+00
第16面
K=-20.6197
A2=0.0000E+00,A4=-2.7845E-04,A6=-2.6018E-07,A8=-7.4384E-07,A10=0.0000E+00
各種データ
ズーム比         9.6396
広角        中間          望遠
焦点距離         5.04213     15.62558     48.60408
ＦＮＯ．         2.82526      4.97425      6.00000
画角２ω        80.70        27.16         8.98
像高             3.83000      3.83000      3.83000
レンズ全長      38.33092     46.66113     56.74668
BF               4.84402      2.53037      3.45519
入射瞳位置      10.41750     22.79674     63.43826
射出瞳位置     -13.19938   -973.79747     76.27427
d3               0.30000      7.27085     18.21919
d8              13.48096      6.43344      0.21034
d14              2.06125     12.78177     17.21727
d16              3.36402      1.02045      1.92846
d20              0.38647      0.41639      0.43319
ズームレンズ群データ
群  始面  焦点距離
1    1     22.9800
2    2    -60.0882
3    4     -7.8874
4    6     19.0246
5    7    -18.1166
6    10     6.8219
7    12     6.9454
8    13    -3.4579
9    15    16.3081
ズームレンズ群データ
群  始面   焦点距離  レンズ構成長  前側主点位置  後側主点位置
1     1    36.28457    3.94032       0.66767      -1.56957
2     4    -7.66736    5.87187       0.48530      -4.00322
3     9     9.81248    4.68907      -4.15997      -4.90120
4     15   16.30813    3.14342       1.27717      -0.85010
5     17     ∞        1.40000       0.           -1.09354
群  始面   広角倍率   中間倍率   望遠倍率
1     1     0.         0.         0.
2     4    -0.29195   -0.39745   -0.91900
3     9    -0.73131   -1.36684   -1.98041
4     15    0.65084    0.79271    0.73600
5     17    1.00000    1.00000    1.00000
【０１７９】
数値実施例7
単位    ｍｍ
面データ
面番号        r          d         nd        νd        ER
物面          ∞         ∞
1          27.3932     4.2000    1.58913     61.14     9.541
2         -35.7876     0.1000    1.63387     23.38     9.055
3＊       -98.3276      可変                           8.800
4＊       385.0280     0.8000    1.85135     40.10     6.582
5＊         6.6547     3.0343                          4.938
6         -83.5231     1.7176    1.94595     17.98     4.850
7         -14.0164     0.7000    1.74320     49.34     4.820
8＊        68.5938      可変                           4.704
9(絞り)       ∞       0.                              2.012
10＊        4.7393     2.6443    1.59201     67.02     2.117
11＊      -20.9923     0.1010                          2.002
12          7.1479     1.7543    1.49700     81.54     1.950
13         -7.1254     0.4187    1.62004     36.26     1.855
14          3.2804      可変                           1.794
15         23.5029     3.5430    1.52542     55.78     4.625
16＊      -10.9882      可変                           4.750
17            ∞       0.4000    1.51633     64.14     4.268
18            ∞       0.5000                          4.226
19            ∞       0.5000    1.51633     64.14     4.145
20            ∞        可変                           4.101
像面          ∞
非球面データ
第3面
K=0
A2=0.0000E+00,A4=6.9253E-06,A6=-1.5952E-08,A8=1.4159E-10,A10=-6.5161E-13
第4面
K=0
A2=0.0000E+00,A4=-2.1138E-05,A6=2.2478E-09,A8=-2.9813E-08,A10=1.7957E-11,
A12=5.5317E-12
第5面
K=0
A2=0.0000E+00,A4=1.7903E-04,A6=-1.5177E-06,A8=1.1439E-06,A10=-4.2482E-08,
A12=-6.0356E-12
第8面
K=0
A2=0.0000E+00,A4=-3.5628E-04,A6=1.1734E-08,A8=-6.7191E-07,A10=3.2115E-08,
A12=-3.0697E-10
第10面
K=0
A2=0.0000E+00,A4=-4.8237E-04,A6=-1.0718E-07,A8=9.6535E-06,A10=-2.4331E-06,
A12=2.5124E-07
第11面
K=0
A2=0.0000E+00,A4=1.0129E-03,A6=5.9423E-05,A8=1.8540E-06,A10=-3.2889E-07,
A12=8.6254E-08
第16面
K=0
A2=0.0000E+00,A4=-2.4381E-05,A6=0.0000E+00,A8=0.0000E+00,A10=0.0000E+00
各種データ
ズーム比         9.6227
広角          中間          望遠
焦点距離         5.05229       15.65132     48.61681
ＦＮＯ．         3.40153        5.28247      6.00000
画角２ω        80.70          27.42         8.98
像高             3.83000        3.83000      3.83000
レンズ全長      40.79522       50.78563     58.62998
BF               4.60108        4.60225      3.40430
入射瞳位置      11.23195       30.68142     94.41822
射出瞳位置     -16.62015   -11931.47796     89.32902
d3               0.30000        9.64514     21.08815
d8              14.06974        6.46875      1.26274
d14              2.81117       11.05626     13.86156
d16              3.12073        3.10223      1.89427
d20              0.38681        0.40648      0.41649
ズームレンズ群データ
群  始面  焦点距離
1    1     27.0032
2    2    -88.8217
3    4     -7.9619
4    6     17.5939
5    7    -15.6033
6    10     6.7905
7    12     7.4851
8    13    -3.5678
9    15    14.7734
ズームレンズ群データ
群  始面   焦点距離  レンズ構成長  前側主点位置  後側主点位置
1     1    37.87962    4.30000       0.53522      -2.20023
2     4    -7.33747    6.25186       0.61793      -4.05596
3     9    10.10424    4.91835      -4.41809      -5.13210
4     15   14.77340    3.54302       1.64075      -0.76710
5     17     ∞        1.40000       0.           -1.09354
群  始面   広角倍率   中間倍率   望遠倍率
1     1     0.         0.         0.
2     4    -0.26756   -0.40586   -1.10573
3     9    -0.78303   -1.59932   -1.61742
4     15    0.63663    0.63655    0.71764
5     17    1.00000    1.00000    1.00000
【０１８０】
数値実施例8
単位    ｍｍ
面データ
面番号        r          d         nd        νd        ER
物面          ∞         ∞
1          25.6405     4.2000    1.58913     61.14     9.312
2＊       -31.4271     0.1000    1.63419     23.39     8.788
3＊      -121.4819      可変                           8.600
4＊       466.2770     0.8000    1.85135     40.10     6.641
5＊         6.2001     3.1940                          4.899
6        -144.1358     1.7176    1.94595     17.98     4.850
7         -13.9448     0.7000    1.74320     49.34     4.844
8＊       135.0549      可変                           4.772
9(絞り)       ∞       0.                              2.065
10＊        4.8621     2.6443    1.59201     67.02     2.203
11＊      -21.2524     0.1010                          2.133
12          7.3526     1.7622    1.49700     81.54     2.094
13         -6.1516     0.4187    1.62004     36.26     1.978
14          3.4116      可変                           1.889
15＊       35.3139     4.0519    1.52542     55.78     5.225
16＊       -9.9116      可変                           5.400
17            ∞       0.4000    1.51633     64.14     4.257
18            ∞       0.5000                          4.239
19            ∞       0.5000    1.51633     64.14     4.207
20            ∞        可変                           4.185
像面          ∞
非球面データ
第2面
K=0.1816
A2=0.0000E+00,A4=2.4275E-05,A6=1.5552E-07,A8=-1.2323E-09,A10=-5.5582E-14,
A12=-1.5183E-14
第3面
K=0
A2=0.0000E+00,A4=8.1025E-06,A6=5.0730E-09,A8=-2.1711E-13,A10=-9.2625E-13
第4面
K=0
A2=0.0000E+00,A4=-9.5505E-05,A6=3.1085E-06,A8=-5.6103E-08,A10=-4.1540E-12,
A12=4.9459E-12
第5面
K=0
A2=0.0000E+00,A4=-1.1430E-05,A6=4.6127E-06,A8=3.1134E-07,A10=9.1662E-09,
A12=-9.5412E-10
第8面
K=0
A2=0.0000E+00,A4=-2.9611E-04,A6=-4.9393E-06,A8=-2.1103E-07,A10=1.0337E-08,
A12=-8.2485E-11
第10面
K=0
A2=0.0000E+00,A4=-4.1069E-04,A6=-4.3482E-06,A8=1.2134E-05,A10=-2.2848E-06,
A12=1.8506E-07
第11面
K=0
A2=0.0000E+00,A4=8.8913E-04,A6=5.0547E-05,A8=3.0961E-06,A10=-1.0022E-07,
A12=5.9925E-08
第15面
K=0
A2=0.0000E+00,A4=-3.7979E-04,A6=8.7055E-06,A8=0.0000E+00,A10=0.0000E+00
第16面
K=0
A2=0.0000E+00,A4=-4.0106E-04,A6=1.1291E-05,A8=0.0000E+00,A10=0.0000E+00
各種データ
ズーム比         9.6231
広角          中間          望遠
焦点距離         5.05222       15.64959     48.61822
ＦＮＯ．         3.45733        5.46433      6.00000
画角２ω        80.71          27.48         8.98
像高             3.83000        3.83000      3.83000
レンズ全長      43.13626       51.50150     58.63074
BF               4.47762        4.08351      3.18962
入射瞳位置      11.38354       28.92685     93.04792
射出瞳位置     -18.90604      306.57010     94.53752
d3               0.30000        8.95746     20.83110
d8              15.54135        7.00824      1.14616
d14              3.12752       11.76251     13.77409
d16              2.99646        2.58029      1.67884
d20              0.38762        0.40968      0.41724
ズームレンズ群データ
群  始面  焦点距離
1    1     24.6402
2    2    -66.8771
3    4     -7.3867
4    6     16.2166
5    7    -16.9732
6    10     6.9453
7    12     7.0443
8    13    -3.4810
9    15    15.1990
ズームレンズ群データ
群  始面   焦点距離  レンズ構成長  前側主点位置  後側主点位置
1     1    37.69836    4.30000       0.38938      -2.33916
2     4    -7.63637    6.41159       0.33211      -4.64617
3     9    10.59192    4.92624      -4.54990      -5.26038
4     15   15.19898    4.05195       2.14018      -0.60069
5     17     ∞        1.40000       0.           -1.09354
群  始面   広角倍率   中間倍率   望遠倍率
1     1     0.         0.         0.
2     4    -0.28188   -0.41427   -1.16415
3     9    -0.71400   -1.44847   -1.47587
4     15    0.66588    0.69181    0.75062
5     17    1.00000    1.00000    1.00000
【０１８１】
以下、各実施例の条件式対応値を掲げる。
ここで、
条件式（１−１）、（１−２）をまとめて条件式（１）とし、
条件式（２−１）、（２−２）をまとめて条件式（２）とし、
条件式（３−１）、（３−２）をまとめて条件式（３）とし、
条件式（４−１）、（４−２）をまとめて条件式（４）とし、
条件式（５−１）、（５−２）をまとめて条件式（５）とし、
条件式（６−１）、（６−２）をまとめて条件式（６）としている。
T1g／Flt     ｎdn     θgFn     θhgn   νdn    ｎdp     νdp
条件式        (４)       (１)   (２)(５)   (３)    (６)    (７)     (８)
実施例１     0.0818     1.63387  0.6684    0.6351  23.38  1.74320   49.34
実施例２     0.0814     1.63387  0.6684    0.6351  23.38  1.74320   49.34
実施例３     0.0813     1.63419  0.6103    0.5487  23.39  1.74320   49.34
実施例４     0.0813     1.63408  0.6306    0.5825  23.39  1.74320   49.34
実施例５     0.0818     1.63399  0.6494    0.6153  23.39  1.74320   49.34
実施例６     0.081      1.63387  0.6684    0.6351  23.38  1.78800   47.37
実施例７     0.0884     1.63387  0.6684    0.6349  23.38  1.58913   61.14
実施例８     0.0884     1.63419  0.6103    0.5486  23.39  1.58913   61.14
【０１８２】
さて、以上のような本発明の結像光学系は、物体の像をＣＣＤやＣＭＯＳなどの電子撮像素子で撮影する撮影装置、とりわけデジタルカメラやビデオカメラ、情報処理装置の例であるパソコン、電話、携帯端末、特に持ち運びに便利な携帯電話等に用いることができる。以下に、その実施形態を例示する。
【０１８３】
図１７〜図１９に本発明による結像光学系をデジタルカメラの撮影光学系４１に組み込んだ構成の概念図を示す。図１７はデジタルカメラ４０の外観を示す前方斜視図、図１８は同後方斜視図、図１９はデジタルカメラ４０の光学構成を示す断面図である。
【０１８４】
デジタルカメラ４０は、この例の場合、撮影用光路４２を有する撮影光学系４１、ファインダー用光路４４を有するファインダー光学系４３、シャッター４５、フラッシュ４６、液晶表示モニター４７等を含む。そして、撮影者が、カメラ４０の上部に配置されたシャッター４５を押圧すると、それに連動して撮影光学系４１、例えば実施例１の結像光学系４８を通して撮影が行われる。
【０１８５】
撮影光学系４１によって形成された物体像は、ＣＣＤ４９の撮像面上に形成される。このＣＣＤ４９で受光された物体像は、画像処理手段５１を介し、電子画像としてカメラ背面に設けられた液晶表示モニター４７に表示される。また、この画像処理手段５１にはメモリ等が配置され、撮影された電子画像を記録することもできる。なお、このメモリは画像処理手段５１と別体に設けてもよいし、フレキシブルディスクやメモリーカード、ＭＯ等により電子的に記録書込を行うように構成してもよい。
【０１８６】
さらに、ファインダー用光路４４上には、ファインダー用対物光学系５３が配置されている。このファインダー用対物光学系５３は、カバーレンズ５４、第１プリズム１０、開口絞り２、第２プリズム２０、フォーカス用レンズ６６からなる。このファインダー用対物光学系５３によって、結像面６７上に物体像が形成される。この物体像は、像正立部材であるポロプリズム５５の視野枠５７上に形成される。このポロプリズム５５の後方には、正立正像にされた像を観察者眼球Ｅに導く接眼光学系５９が配置されている。
【０１８７】
このように構成されたデジタルカメラ４０によれば、撮影光学系４１の構成枚数を少なくした小型化・薄型化の結像光学系を有する電子撮像装置が実現できる。なお、本発明は、上述した沈胴式のデジタルカメラに限られず、屈曲光学系を採用する折り曲げ式のデジタルカメラにも適用できる。
【０１８８】
次に、本発明の結像光学系が対物光学系として内蔵された情報処理装置の一例であるパソコンを図２０〜図２２に示す。図２０はパソコン３００のカバーを開いた状態の前方斜視図、図２１はパソコン３００の撮影光学系３０３の断面図、図２２は図２０の側面図である。図２０〜図２２に示されるように、パソコン３００は、キーボード３０１と、情報処理手段や記録手段と、モニター３０２と、撮影光学系３０３とを有している。
【０１８９】
ここで、キーボード３０１は、外部から操作者が情報を入力するためのものである。情報処理手段や記録手段は、図示を省略している。モニター３０２は、情報を操作者に表示するためのものである。撮影光学系３０３は、操作者自身や周辺の像を撮影するためのものである。モニター３０２は、液晶表示素子やＣＲＴディスプレイ等であってよい。液晶表示素子としては、図示しないバックライトにより背面から照明する透過型液晶表示素子や、前面からの光を反射して表示する反射型液晶表示素子がある。また、図中、撮影光学系３０３は、モニター３０２の右上に内蔵されているが、その場所に限らず、モニター３０２の周囲や、キーボード３０１の周囲のどこであってもよい。
【０１９０】
この撮影光学系３０３は、撮影光路３０４上に、例えば実施例１の結像光学系からなる対物光学系１００と、像を受光する電子撮像素子チップ１６２とを有している。これらはパソコン３００に内蔵されている。
【０１９１】
鏡枠の先端には、対物光学系１００を保護するためのカバーガラス１０２が配置されている。
電子撮像素子チップ１６２で受光された物体像は、端子１６６を介して、パソコン３００の処理手段に入力される。そして、最終的に、物体像は電子画像としてモニター３０２に表示される、図２０には、その一例として、操作者が撮影した画像３０５が示されている。また、この画像３０５は、処理手段を介し、遠隔地から通信相手のパソコンに表示されることも可能である。遠隔地への画像伝達は、インターネットや電話を利用する。
【０１９２】
次に、本発明の結像光学系が撮影光学系として内蔵された情報処理装置の一例である電話、特に持ち運びに便利な携帯電話を図２３に示す。図２３（ａ）は携帯電話４００の正面図、図２３（ｂ）は側面図、図２３（ｃ）は撮影光学系４０５の断面図である。図２３（ａ）〜（ｃ）に示されるように、携帯電話４００は、マイク部４０１と、スピーカ部４０２と、入力ダイアル４０３と、モニター４０４と、撮影光学系４０５と、アンテナ４０６と、処理手段とを有している。
【０１９３】
ここで、マイク部４０１は、操作者の声を情報として入力するためのものである。スピーカ部４０２は、通話相手の声を出力するためのものである。入力ダイアル４０３は、操作者が情報を入力するためのものである。モニター４０４は、操作者自身や通話相手等の撮影像や、電話番号等の情報を表示するためのものである。アンテナ４０６は、通信電波の送信と受信を行うためのものである。処理手段（不図示）は、画像情報や通信情報、入力信号等の処理を行ためのものである。
【０１９４】
ここで、モニター４０４は液晶表示素子である。また、図中、各構成の配置位置、特にこれらに限られない。この撮影光学系４０５は、撮影光路４０７上に配された対物光学系１００と、物体像を受光する電子撮像素子チップ１６２とを有している。対物光学系１００としては、例えば実施例１の結像光学系が用いられる。これらは、携帯電話４００に内蔵されている。
【０１９５】
鏡枠の先端には、対物光学系１００を保護するためのカバーガラス１０２が配置されている。
電子撮影素子チップ１６２で受光された物体像は、端子１６６を介して、図示していない画像処理手段に入力される。そして、最終的に物体像は、電子画像としてモニター４０４に、又は、通信相手のモニターに、又は、両方に表示される。また、処理手段には信号処理機能が含まれている。通信相手に画像を送信する場合、この機能により、電子撮像素子チップ１６２で受光された物体像の情報を、送信可能な信号へと変換する。
【０１９６】
なお、本発明は、その趣旨を逸脱しない範囲で様々な変形例をとることができる。
【産業上の利用可能性】
【０１９７】
以上のように、本発明に係る結像光学系は、沈胴厚及び全長の薄いカメラに有用である。
【符号の説明】
【０１９８】
Ｇ１          第１レンズ群
Ｇ２          第２レンズ群
Ｇ３          第３レンズ群
Ｇ４          第４レンズ群
Ｌ１〜Ｌ９        各レンズ
ＬＰＦ        ローパスフィルタ
ＣＧ          カバーガラス
Ｉ            撮像面
Ｅ            観察者の眼球
４０          デジタルカメラ
４１          撮影光学系
４２          撮影用光路
４３          ファインダー光学系
４４          ファインダー用光路
４５          シャッター
４６          フラッシュ
４７          液晶表示モニター
４８          結像光学系
４９          ＣＣＤ
５０          撮像面
５１          処理手段
５３          ファインダー用対物光学系
５５          ポロプリズム
５７          視野枠
５９          接眼光学系
６６          フォーカス用レンズ
６７          結像面
１００        対物光学系
１０２        カバーガラス
１６２        電子撮像素子チップ
１６６        端子
３００        パソコン
３０１        キーボード
３０２        モニター
３０３        撮影光学系
３０４        撮影光路
３０５        画像
４００        携帯電話
４０１        マイク部
４０２        スピーカ部
４０３        入力ダイアル
４０４        モニター
４０５        撮影光学系
４０６        アンテナ
４０７        撮影光路
【図１】
0005479792.tif 000002
【図２】
0005479792.tif 000003
【図３】
0005479792.tif 000004
【図４】
0005479792.tif 000005
【図５】
0005479792.tif 000006
【図６】
0005479792.tif 000007
【図７】
0005479792.tif 000008
【図８】
0005479792.tif 000009
【図９】
0005479792.tif 000010
【図１０】
0005479792.tif 000011
【図１１】
0005479792.tif 000012
【図１２】
0005479792.tif 000013
【図１３】
0005479792.tif 000014
【図１４】
0005479792.tif 000015
【図１５】
0005479792.tif 000016
【図１６】
0005479792.tif 000017
【図１７】
0005479792.tif 000018
【図１８】
0005479792.tif 000019
【図１９】
0005479792.tif 000020
【図２０】
0005479792.tif 000021
【図２１】
0005479792.tif 000022
【図２２】
0005479792.tif 000023
【図２３】
0005479792.tif 000024